(57)【要約】      （修正有）【課題】構造が簡単で、持運びが容易で、自動車内、登山等の野外、災害時に簡便に使用ができ、利便性が高く、携帯性に優れた携帯用便器を提供する。【解決手段】略円形状の貫通穴の排便口を設けた便座と、この便座の下方に位置する便器ベースと、この便器ベースと便座との間にあって便座を昇降し支持する支持機構と、便座の支持を保持する保持機構を備える。支持機構は、２本の支柱が互いにＸ字状に回動可能に交差連結した右交差支柱と左交差支柱とを左右対称の位置に備え、各交差支柱の一端側を便座の裏面および便器ベース上に回動可能に固定し、他端側を便座の裏面および便器ベース上に備えた右ガイド又は左ガイドに沿って走行可能とした。【選択図】図１
0003175604.tif 000002
【実用新案登録請求の範囲】
【請求項１】
便座と、この便座の下にあって前記便座を支持する支持機構と、前記便座の支持を保持する保持機構を備えたことを特徴とする携帯用便器。
【請求項２】
前記便座の下方に便器ベースを備え、前記支持機構は前記便座と前記便器ベースの間にあって前記便座と前記便器ベースとに繋がっていることを特徴とする請求項１記載の携帯用便器。
【請求項３】
前記便座の中央に略円形状の貫通穴を設けて排便口を形成したことを特徴とする請求項１記載の携帯用便器。
【請求項４】
前記支持機構は、
右支柱Ａと右支柱Ｂが互いにＸ字状に回動可能に交差連結した右交差支柱と、
左支柱Ａと左支柱Ｂが互いにＸ字状に回動可能に交差連結した左交差支柱と、
を前記便座と前記便器ベースとの間に左右対称の位置に備え、
前記右交差支柱の一端側を前記便座の裏面および前記便器ベース上に回動可能に固定し、
他端側を前記便座の裏面および前記便器ベース上に備えた右ガイドに沿って走行可能とし、
前記左交差支柱の一端側を前記便座の裏面および前記便器ベース上に回動可能に固定し、
他端側を前記便座の裏面および前記便器ベース上に備えた左ガイドに沿って走行可能とし、
前記右ガイド内の右交差支柱の端子位置および前記左ガイド内の前記左交差支柱の端子位置が前記保持機構によって保持されることを特徴とする請求項２記載の携帯用便器。
【請求項５】
前記保持機構は、
前記便器ベース上に回転可能に固定されたネジ軸と、
このネジ軸のネジ部に移動可能に連結され、前記便器ベース上に備えた右ガイドに沿って走行可能とした前記右交差支柱の端子および前記便器ベース上に備えた左ガイドに沿って走行可能とした前記左交差支柱の端子を回転自在に軸支して前記ネジ軸の回転によって前記便器ベース上を移動する連結アームと、
前記ネジ軸に着脱自在に設けたハンドルと、
を備えことを特徴とする請求項４記載の携帯用便器。
【請求項６】
前記便器ベース上に設けた右ガイドに沿って走行可能とした前記右交差支柱の端子および前記便器ベース上に設けた左ガイドに沿って走行可能とした前記左交差支柱の端子に回転自在に取付けられたローラと、
前記便座の裏面に設けた右ガイドに沿って走行可能とした前記右交差支柱の端子および前記便座の裏面に設けた左ガイドに沿って走行可能とした前記右交差支柱の端子に回転自在に取付けられたローラと、を備え、
前記便器ベースに設けた右ガイドと左ガイドとが前記便器ベース上に平行に固定されおり、前記便座に設けた右ガイドと左ガイドとが前記便座の裏面に平行に固定されていることを特徴とする請求項４記載の携帯用便器
【請求項７】
前記便座と前記便器ベースを対向させて最小距離とし、前記支持機構を前記便座と前記便器ベース間に格納した収納状態から前記便座の揚上を容易にする少なくとも１つ以上のスプリングを前記便器ベース上に備えたことを特徴とする請求項４記載の携帯用便器。
【請求項８】
前記支持機構に、一端部を前記便座の下部に回動可能に固定した上支柱と、一端部を前記上支柱の他端部と相互に回動可能に連結した下支柱と、を備え、
前記保持機構に、前記上支柱と前記下支柱との連結部にあって、前記上支柱と前記下支柱との連結部を略１８０度以上まで開き伸ばし、前記便座を安定した立脚状態に保持するスプリングを備えたことを特徴とする請求項２記載の携帯用便器。
【請求項９】
前記下支柱の他端部を前記便器ベースに回動可能に固定したことを特徴とする請求項２記載の携帯用便器。
【請求項１０】
前記便座の裏面に回動可能に設けたフックと、前記便器ベース上に設けた前記フックを止めるフックロックと、前記フックを前記フックロックに掛止保持するために前記フックに設けたフックスプリングとを有するフック機構を備えたことを特徴とする請求項９記載の携帯用便器。
【請求項１１】
前記フック機構を少なくとも１個以上備え、前記保持機構を有する前記支持機構を少なくと１個以上備えたことを特徴とする請求項１０記載の携帯用便器。
【請求項１２】
前記便座の裏面縁辺に一方向に略Ｕ字形状の開口部を有し、垂直中心軸まわりに回転可能に設けた断面凹形の筒形状の支柱受Ａと、前記便器ベース上の縁辺に一方向に略Ｕ字形状の開口部を有し、垂直中心軸まわりに回転可能に設けた断面凹形の筒形状の支柱受Ｂと、一端部を前記支柱受Ａに回動可能に固定され、他端部を支柱受Ｂに回動可能に固定された支柱と、を有してなる支持機構に、
前記便器ベースの中心を垂直中心軸にして回転可能に前記便器ベース上に設けた回転盤と、一端部を前記回転盤の縁辺に垂直中心軸まわりに回動可能に固定した第１アームと、前記支柱受Ｂを垂直中心軸まわりに回転させるように一端部を前記支柱受Ｂに固定した第２アームと、を有し、前記第１アームと前記第２アームの他端部相互を回動可能に連結してなる保持機構を設け、前期保持機構を設けた前記支持機構を少なくとも３つ以上備えたことを特徴とする請求項２記載の携帯用便器。
【請求項１３】
前記回転盤上にハンドルを設け、前記便器ベース上に前記ハンドルの可動範囲を限定するストッパーＡとストッパーＢを設け、
前記便座を一方向に回転させることによって前記支柱受Ａ、前記支柱、前記支柱受Ｂ、前記第２アームおよび前記第１アームを介して前記回転盤を回転させ、前記支持機構を前記便座と前記便器ベースの間に格納して前記便座と前記便器ベースを最小距離にして重ねた状態では前記ハンドルが前記ストッパーＡに係止した位置にあり、前記第１アームと前記第２アームの連結角度が鈍角となり、
また前記便座を反対方向に回転させることによって前記支持機構の支柱を略垂直に立上げて前記便座を揚上し、前記ハンドルを前記ストッパーＢに係止させて前記第１アームと前記第２アームの連結角度を鋭角とし、立脚状態を安定に保持することを特徴とする請求項１２記載の携帯用便器。
【請求項１４】
前記保持機構に、
前記便器ベース上に設けて前記回転盤を歯車で回転駆動するモーターと、
前記モーターによる前記回転盤の回転範囲を限定するために前記便器ベース上に設けたセンサＡとセンサＢと、
前記第２アームに設けて前記センサＡと前記センサＢを感知する感知口と、
を備え、前記第１アームと前記第２アームの連結角度が鈍角になる方向に前記第２アームが移動して前記センサＡを感知しモーターを停止し、前記第１アームと前記第２アームの連結角度が鋭角になる方向に前記第２アームが移動して前記センサＢを感知しモーターを停止することを特徴とする請求項１２記載の携帯用便器。
【請求項１５】
前記便座の裏面に設けた支柱受に一端部が回動可能に固定された支柱を有する支持機構を少なくとも２つ以上、前記便座の裏面に備えたことを特徴とする請求項１記載の携帯用便器。
【請求項１６】
前記支柱に、一端部が前記便座の裏面に回動可能に固定された支柱Ａと支柱Ｂを備え、
前記便座内に前記便座と略平行に折畳可能であることを特徴とする請求項１５記載の携帯用便器。
【請求項１７】
前記支柱Ａと前記支柱Ｂは連結されていることを特徴とする請求項１６記載のイ携帯用便器。
【請求項１８】
前記支持機構を構成する支柱に回動可能に固定したバックルと、
前記支柱に設けて前記バックルを係止するバックルストッパーと、
一端部を前記支柱受に掛止し、他端部を前記バックルに掛止した牽引スプリングと、を有してなる保持機構を前記支持機構に備え、前期支持機構の立脚状態および折畳み状態を保持することを特徴とする請求項１５記載の携帯用便器。
【考案の詳細な説明】
【技術分野】
【０００１】  本考案は、携帯用便器に係り、特に、持運びが容易で、自動車内、登山等の野外、災害時に簡便に使用ができる携帯用便器に関する。
【背景技術】
【０００２】  従来の携帯用便器として、軽量化、小型化を図った種々の便器が提案されている。
常設トイレのない野外、自動車内、または災害時に簡便に使用できる携帯用便器が要望されている。
【先行技術文献】
【特許文献】
【０００３】  その例として特許公開２０１０−２４０１６６号公報で提案されている携帯用便器は、便器本体部に着脱可能なキャスターを備えた主脚部と補助脚部を有し、座面の高さ調整が容易で傾斜移動性に優れているとしている。
【考案の概要】
【考案が解決しようとする課題】
【０００４】  しかしながら、便器本体部、主脚部および補助脚部の構造が複雑で、組立に時間が掛かり、緊急性に問題があり、また携帯性に課題がある。【０００５】  本考案は、上記した従来技術の課題を解決するためになされたものであって、構造が簡単で、素早くセットできて携帯性に優れ、屋外、車内等使用できる携帯用便器を提供することにある。
【課題を解決するための手段】
【０００６】    上記課題を解決するために本考案に係る携帯用便器は、略円形状の貫通穴を排便口とする便座と、この便座の下方に位置する便器ベースとを備え、且つ右支柱Ａと右支柱Ｂが互いにＸ字状に回動可能に交差連結した右交差支柱と、左支柱Ａと左支柱Ｂが互いにＸ字状に回動可能に交差連結した左交差支柱と、を便座と便器ベースとの間に左右対称の位置に備え、右交差支柱の一端側を便座の裏面および便器ベース上に回動可能に固定し、他端側を便座の裏面および便器ベース上に備えた右ガイドに沿って走行可能とし、左交差支柱の一端側を便座の裏面および便器ベース上に回動可能に固定し、他端側を便座の裏面および便器ベース上に備えた左ガイドに沿って走行可能とした支持機構を備えたので、便座を便器ベース上に対向して水平に昇降して便座の高さを連続可変することができる。【０００７】  また、本考案に係る携帯用便器は、略円形状の貫通穴を排便口とする便座と、この便座の下方に位置する便器ベースとを備え、且つこの便座の下方に位置する便器ベースとを備え、便器ベース上に回転可能に固定されたネジ軸と、このネジ軸のネジ部に移動可能に連結され、便器ベース上に備えた右ガイドに沿って走行可能とした右交差支柱の端子および便器ベース上に備えた左ガイドに沿って走行可能とした左交差支柱の端子を回転自在に軸支してネジ軸の回転によって便器ベース上を移動する連結アームと、ネジ軸に着脱自在に設けたハンドルと、からなる保持機構を備えたので、支持機構と連動して便座を便器ベース上に対向して水平に昇降して便座の高さを連続可変し、保持することができる。【０００８】  さらに、本考案に係る携帯用便器は、略円形状の貫通穴を排便口とする便座と、この便座の下方に位置する便器ベースとを備え、且つ便器ベース上に設けた右ガイドに沿って走行可能とした右交差支柱の端子および便器ベース上に設けた左ガイドに沿って走行可能とした左交差支柱の端子に回転自在に取付けられたローラと、便座の裏面に設けた右ガイドに沿って走行可能とした右交差支柱の端子および便座の裏面に設けた左ガイドに沿って走行可能とした右交差支柱の端子に回転自在に取付けられたローラと、を備え、さらに便器ベースに設けた右ガイドと左ガイドとが便器ベース上に平行に固定され、便座に設けた右ガイドと左ガイドとが便座の裏面に平行に固定されているので、支持機構と保持機構が連動して便座を便器ベース上に対向して水平に昇降して便座の高さを滑らかに連続可変することができる。【０００９】  また、本考案に係る携帯用便器は、略円形状の貫通穴を排便口とする便座と、この便座の下方に位置する便器ベースとを備え、且つ便座と便器ベースを対向させて最小距離とし、支持機構を便座と便器ベース間に少なくとも１つ以上のスプリングを便器ベース上に備えたので、格納した収納状態から便座の揚上を容易にすることができる。【００１０】  さらに、本考案に係る携帯用便器は、略円形状の貫通穴を排便口とする便座と、この便座の下方に位置する便器ベースとを備え、且つ一端部を便座の下部に回動可能に固定した上支柱と、一端部を便器ベースに回動可能に固定した下支柱と、上支柱の他端部と下支柱の他端部を相互に回動可能に連結してなる支持機構とを備え、さらに上支柱と下支柱との連結部にあって、上支柱と下支柱との連結部を略１８０度以上まで開き伸ばすスプリングを備えた保持機構を備えたので、簡単に折畳み格納したり、または立脚することができ、さらに便座を安定した立脚状態に保持することができる。【００１１】  また、本考案に係る携帯用便器は、略円形状の貫通穴を排便口とする便座と、この便座の下方に位置する便器ベースとを備え、且つ便座の裏面に回動可能に設けたフックと、便器ベース上に設けたフックを止めるフックロックと、フックをフックロックに掛止保持するためにフックに設けたフックスプリングとを有するフック機構を少なくとも１個以上備えたので、支持機構を折畳み、便座と便器ベース間に確実に格納し保持することができる。【００１２】  さらに、本考案に係る携帯用便器は、略円形状の貫通穴を排便口とする便座と、この便座の下方に位置する便器ベースと、を備え、且つ便座の裏面縁辺に一方向に略Ｕ字形状の開口部を有し、垂直中心軸まわりに回転可能に設けた断面凹形の筒形状の支柱受Ａと、便器ベース上の縁辺に一方向に略Ｕ字形状の開口部を有し、垂直中心軸まわりに回転可能に設けた断面凹形の筒形状の支柱受Ｂと、一端部を支柱受Ａに回動可能に固定され、他端部を支柱受Ｂに回動可能に固定された支柱と、を有してなる支持機構に、便器ベースの中心を垂直中心軸にして回転可能に便器ベース上に設けた回転盤と、一端部を回転盤の縁辺に垂直中心軸まわりに回動可能に固定した第１アームと、支柱受Ｂを垂直中心軸まわりに回転させるように一端部を支柱受Ｂに固定した第２アームと、を有し、第１アームと第２アームの他端部相互を回動可能に連結してなる保持機構を設け、保持機構を設けた支持機構を少なくとも３つ以上備えたので、簡単に折畳み格納したり、または立脚することができ、さらに便座を安定した立脚状態に保持することができる。【００１３】  また、本考案に係る携帯用便器は、略円形状の貫通穴を排便口とする便座と、この便座の下方に位置する便器ベースと、を備え、且つ回転盤上にハンドルを設け、便器ベース上にハンドルの可動範囲を限定するストッパーＡとストッパーＢを設け、便座を一方向に回転させることによって支柱受Ａ、支柱、支柱受Ｂ、第２アームおよび第１アームを介して回転盤を回転させ、支持機構を便座と便器ベースの間に格納して便座と便器ベースを最小距離にして重ねた状態ではハンドルがストッパーＡに係止した位置にあり、第１アームと第２アームの連結角度が鈍角となるようにしたので、便座を回転させて格納状態および立脚状態にすることができ、また便座を反対方向に回転させることによって支持機構の支柱を略垂直に立上げて便座を揚上し、ハンドルをストッパーＢに係止させて第１アームと第２アームの連結角度を鋭角となるようにしたので、便座の回転を抑制し立脚状態を安定に保持することができる。【００１４】  さらに、本考案に係る携帯用便器は、略円形状の貫通穴を排便口とする便座と、この便座の下方に位置する便器ベースとを備え、且つ保持機構に、便器ベース上に設けて回転盤を歯車で回転駆動するモーターと、モーターによる回転盤の回転範囲を限定するために便器ベース上に設けたセンサＡとセンサＢと、���２アームに設けてセンサＡとセンサＢを感知する感知口と、を備えたので、第１アームと第２アームの連結角度が鈍角になる方向に第２アームが移動してセンサＡを感知してモーターを停止させ、また第１アームと第２アームの連結角度が鋭角になる方向に第２アームが移動してセンサＢを感知してモーターを停止させることができる。【００１５】  また、本考案に係る携帯用便器は、略円形状の貫通穴を排便口とする便座と、且つ
便座の裏面に設けた支柱受に一端部が回動可能に固定された支柱を有する支持機構を便座の裏面に少なくとも２つ以上備えたので、便座を安定に支えることができる。【００１６】  さらに、本考案に係る携帯用便器は、略円形状の貫通穴を排便口とする便座と、且つ
支柱に一端部が便座の裏面に回動可能に固定された支柱Ａと支柱Ｂを備え、
便座内に便座と略平行に折畳可能であるので、薄い格納常態にできる。【００１７】  また、本考案に係る携帯用便器は、支持機構の支柱Ａと支柱Ｂが連結されているので、便座をより安定に支えることができる。【００１８】  さらに、本考案に係る携帯用便器は、支持機構を構成する支柱に回動可能に固定したバックルと、支柱に設けてバックルを係止するバックルストッパーと、一端部を支柱受に掛止し、他端部をバックルに掛止した牽引スプリングと、を有してなる保持機構を支持機構に備えたので、支持機構の立脚状態および折畳み状態を保持することができる。
【考案の効果】
【００１９】  本考案に係る携帯用便器は、略円形状の貫通穴を排便口とする便座と、この便座の下方に位置する便器ベースとを備え、且つ右支柱Ａと右支柱Ｂが互いにＸ字状に回動可能に交差連結した右交差支柱と、左支柱Ａと左支柱Ｂが互いにＸ字状に回動可能に交差連結した左交差支柱と、を便座と便器ベースとの間に左右対称の位置に備え、右交差支柱の一端側を便座の裏面および便器ベース上に回動可能に固定し、他端側を便座の裏面および便器ベース上に備えた右ガイドに沿って走行可能とし、左交差支柱の一端側を便座の裏面および便器ベース上に回動可能に固定し、他端側を便座の裏面および便器ベース上に備えた左ガイドに沿って走行可能とした支持機構を備え、便座を便器ベース上に対向して水平に昇降して便座の高さを連続可変することができるので、使用者の体型にあった高さに調整することができ、利便性の向上が図れる。【００２０】  また、本考案に係る携帯用便器は、略円形状の貫通穴を排便口とする便座と、この便座の下方に位置する便器ベースとを備え、且つこの便座の下方に位置する便器ベースとを備え、便器ベース上に回転可能に固定されたネジ軸と、このネジ軸のネジ部に移動可能に連結され、便器ベース上に備えた右ガイドに沿って走行可能とした右交差支柱の端子および便器ベース上に備えた左ガイドに沿って走行可能とした左交差支柱の端子を回転自在に軸支してネジ軸の回転によって便器ベース上を移動する連結アームと、ネジ軸に着脱自在に設けたハンドルと、からなる保持機構を備え、支持機構と連動して便座を便器ベース上に対向して水平に昇降して便座の高さを連続可変し、保持することができるので、使勝手が良く、より利便性の向上が図れる。【００２１】  さらに、本考案に係る携帯用便器は、略円形状の貫通穴を排便口とする便座と、この便座の下方に位置する便器ベースとを備え、且つ便器ベース上に設けた右ガイドに沿って走行可能とした右交差支柱の端子および便器ベース上に設けた左ガイドに沿って走行可能とした左交差支柱の端子に回転自在に取付けられたローラと、便座の裏面に設けた右ガイドに沿って走行可能とした右交差支柱の端子および便座の裏面に設けた左ガイドに沿って走行可能とした右交差支柱の端子に回転自在に取付けられたローラと、を備え、さらに便器ベースに設けた右ガイドと左ガイドとが便器ベース上に平行に固定され、便座に設けた右ガイドと左ガイドとが便座の裏面に平行に固定され、支持機構と保持機構が連動して便座を便器ベース上に対向して水平に昇降して便座の高さを滑らかに連続可変することができるので、利便性および安全性の向上が図れる。【００２２】  また、本考案に係る携帯用便器は、略円形状の貫通穴を排便口とする便座と、この便座の下方に位置する便器ベースとを備え、且つ便座と便器ベースを対向させて最小距離とし、支持機構を便座と便器ベース間に少なくとも１つ以上のスプリングを便器ベース上に備え、格納した収納状態から便座の揚上を容易にすることができるので、より利便性および安全性の向上が図れる。【００２３】  さらに、本考案に係る携帯用便器は、略円形状の貫通穴を排便口とする便座と、この便座の下方に位置する便器ベースとを備え、且つ一端部を便座の下部に��動可能に固定した上支柱と、一端部を便器ベースに回動可能に固定した下支柱と、上支柱の他端部と下支柱の他端部を相互に回動可能に連結してなる支持機構とを備え、さらに上支柱と下支柱との連結部にあって、上支柱と下支柱との連結部を略１８０度以上まで開き伸ばすスプリングを備えた保持機構を備え、簡単に折畳み格納したり、または立脚することができ、さらに便座を安定した立脚状態に保持することができるので、利便性および安全性の向上が図れる。【００２４】  また、本考案に係る携帯用便器は、略円形状の貫通穴を排便口とする便座と、この便座の下方に位置する便器ベースとを備え、且つ便座の裏面に回動可能に設けたフックと、便器ベース上に設けたフックを止めるフックロックと、フックをフックロックに掛止保持するためにフックに設けたフックスプリングとを有するフック機構を少なくとも１個以上備え、支持機構を折畳み、便座と便器ベース間に確実に格納し保持することができるので、より携帯性の向上が図れる。【００２５】  さらに、本考案に係る携帯用便器は、略円形状の貫通穴を排便口とする便座と、この便座の下方に位置する便器ベースと、を備え、且つ便座の裏面縁辺に一方向に略Ｕ字形状の開口部を有し、垂直中心軸まわりに回転可能に設けた断面凹形の筒形状の支柱受Ａと、便器ベース上の縁辺に一方向に略Ｕ字形状の開口部を有し、垂直中心軸まわりに回転可能に設けた断面凹形の筒形状の支柱受Ｂと、一端部を支柱受Ａに回動可能に固定され、他端部を支柱受Ｂに回動可能に固定された支柱と、を有してなる支持機構に、便器ベースの中心を垂直中心軸にして回転可能に便器ベース上に設けた回転盤と、一端部を回転盤の縁辺に垂直中心軸まわりに回動可能に固定した第１アームと、支柱受Ｂを垂直中心軸まわりに回転させるように一端部を支柱受Ｂに固定した第２アームと、を有し、第１アームと第２アームの他端部相互を回動可能に連結してなる保持機構を設け、保持機構を設けた支持機構を少なくとも３つ以上備え、簡単に折畳み格納したり、または立脚することができ、さらに便座を安定した立脚状態に保持することができるので、安全性、利便性および携帯性の向上が図れる。【００２６】  また、本考案に係る携帯用便器は、略円形状の貫通穴を排便口とする便座と、この便座の下方に位置する便器ベースと、を備え、且つ回転盤上にハンドルを設け、便器ベース上にハンドルの可動範囲を限定するストッパーＡとストッパーＢを設け、便座を一方向に回転させることによって支柱受Ａ、支柱、支柱受Ｂ、第２アームおよび第１アームを介して回転盤を回転させ、支持機構を便座と便器ベースの間に格納して便座と便器ベースを最小距離にして重ねた状態ではハンドルがストッパーＡに係止した位置にあり、第１アームと第２アームの連結角度が鈍角となるようにしたので、便座を回転させて格納状態および立脚状態にすることができ、また便座を反対方向に回転させることによって支持機構の支柱を略垂直に立上げて便座を揚上し、ハンドルをストッパーＢに係止させて第１アームと第２アームの連結角度を鋭角となるようにし、便座の回転を抑制し立脚状態を安定に保持することができるので、利便性および安全性の向上が図れる。【００２７】  さらに、本考案に係る携帯用便器は、略円形状の貫通穴を排便口とする便座と、この便座の下方に位置する便器ベースとを備え、且つ保持機構に、便器ベース上に設けて回転盤を歯車で回転駆動するモーターと、モーターによる回転盤の回転範囲を限定するために便器ベース上に設けたセンサＡとセンサＢと、第２アームに設けてセンサＡとセンサＢを感知する感知口と、を備え、第１アームと第２アームの連結角度が鈍角になる方向に第２アームが移動してセンサＡを感知してモーターを停止させ、また第１アームと第２アームの連結角度が鋭角になる方向に第２アームが移動してセンサＢを感知してモーターを停止させることができるので、より利便性の向上が図れる。【００２８】  また、本考案に係る携帯用便器は、略円形状の貫通穴を排便口とする便座と、且つ
便座の裏面に設けた支柱受に一端部が回動可能に固定された支柱を有する支持機構を便座の裏面に少なくとも２つ以上備え、便座を安定に支えることができるので、安全性の向上が図れる。【００２９】  さらに、本考案に係る携帯用便器は、略円形状の貫通穴を排便口とする便座と、且つ支柱に一端部が便座の裏面に回動可能に固定された支柱Ａと支柱Ｂを備え、便座内に便座と略平行に折畳可能であり、薄い格納常態にできるので、携帯性の向上が図れる。【００３０】  また、本考案に係る携帯用便器は、支持機構の支柱Ａと支柱Ｂが連結され、便座をより安定に支えることができるので、より安全性の向上が図れる。【００３１】  さらに、本考案に係る携帯用便器は、支持機構を構成する支柱に回動可能に固定したバックルと、支柱に設けてバックルを係止するバックルストッパーと、一端部を支柱受に掛止し、他端部をバックルに掛止した牽引スプリングと、を有してなる保持機構を支持機構に備え、支持機構の立脚状態および折畳み状態を保持することができるので、安全性および携帯性の向上が図れる。【００３２】  よって、本考案は、携帯性に優れ、利便性が良く、且つ安全性の高い携帯用便器を提供することができる。
【考案を実施するための最良の形態】
【００３３】  本考案の実施の形態を添付図面に基づいて以下に説明する。
【実施例】
【００３４】  図１は請求項１、請求項２、請求項３、請求項４、請求項５、請求項６または請求項７に係る携帯用便器の実施形態１の立体構造図である。
図１、図２および図３を用いて携帯用便器１の機能を説明する。
図１において、携帯用便器１は、便座１０、排便口１０−１、便器ベース１１、支持機構１２、右交差支柱１２ａ、右支柱Ａ１２ａ−１、右支柱Ｂ１１ａ−２、交差軸１２ａ−３、右上ガイド１２ａ−４、左上ガイド１２ｂ−４、左交差支柱１２ｂ、左支柱Ａ１２ｂ−１，左支柱Ｂ１２ｂ−２、交差軸１２ｂ−３、左上ガイド１２ｂ−４、保持機構１３、ネジ軸１３−１、ネジ部１３−２、ネジ軸取付部１３−３、１３−連結アーム１３−４、ハンドル１３−５、スプリング１４−１とスプリング１４−２を備えている。【００３５】  略円形状の貫通穴を排便口１０−１とする便座１０の下方に便器ベース１１があり、便座１０と便器ベース１１の間に便座１０を昇降し支持する支持機構１２と、この支持機構１２の便座支持を保持する保持機構１３がある。【００３６】  支持機構１２は、便座１０と便器ベース１１との間に左右対称の位置に設けた右交差支柱１２ａと左交差支柱１２ｂを備える。
右交差支柱１２ａは右支柱Ａ１２ａ−１と右支柱Ｂ１２ａ−２が互いにＸ字状に交差軸１２ａ−３によって回動可能に交差連結したものである。
左交差支柱１２ｂは左支柱Ａ１２ｂ−１と左支柱Ｂ１２ｂ−２が互いにＸ字状に左交差軸１２ｂ−３によって回動可能に交差連結したものである。【００３７】  右支柱Ａ１２ａ−１は一端を便座１０の裏面に回動可能に固定し、他端に右下ローラ１２ａ−６（図３）を設け、便器ベース１１上に備えた右下ガイド１２ａ−５（図３）に沿って走行可能とした。
右支柱Ｂ１２ａ−２は一端を便器ベース１１上に回動可能に固定し、他端を便座１０の裏面に設けた右上カイド１２ａ−４に沿って走行可能とした。【００３８】  左支柱Ａ１２ｂ−１は一端を便座１０の裏面に回動可能に固定し、他端に左下ローラ１２ｂ−６（図３）を設け、便器ベース１１上に備えた左下ガイド１２ｂ−５（図３）に沿って走行可能とした。
左支柱Ｂ１２ｂ−２は一端を便器ベース１１上に回動可能に固定し、他端を便座１０の裏面に設けた左上カイド１２ｂ−４に沿って走行可能とした。
右下ガイド１２ａ−５と左下ガイド１２ｂ−５とが便器ベース１１上に平行に固定されおり、右上ガイド１２ａ−４と左上ガイド左上カイド１２ｂ−４とが便座１０の裏面に平行に固定されている。【００３９】  保持機構１３はネジ軸１３−１とネジ部１３−２とネジ軸取付部１３−３と連結アーム  １３−４とハンドル１３−５を備える。
ネジ軸１３−１は便器ベース１１上に固定されているネジ軸取付部１３−３に回転可能  に固定されている。
それ故、ネジ軸１３−１は回転はするが、便器ベース上で移動することはない。
連結アーム１３−４は、このネジ軸１３−１のネジ部１３−２に移動可能に連結され、右支柱Ａ１２ａ−１の端子部と右下ローラ１２ａ−６とを回転自在に軸支し、且つ左支柱Ａ１２ｂ−１の端子部と左下ローラ１２ｂ−６とを回転自在に軸支して連結する。
ハンドル１３−５はネジ軸１３−１に着脱自在に設けられる。【００４０】  ハンドル１３−５によってネジ軸１３−１を回し、ネジ軸１３−１のネジ部１３−２の回転によって連結アーム１３−４が便器ベース１１上を移動し、右支柱Ａ１２ａ−１の右下ローラ１２ａ−６を便器ベース１１上に備えた右下ガイド１２ａ−５に沿って走行させ、同時に左支柱Ａ１２ｂ−１の左下ローラ１２ｂ−６を便器ベース１１上に備えた左ガイド１２ｂ−５に沿って走行させる。
右支柱Ａ１２ａ−１の右下ローラ１２ａ−６の走行に伴い、交差軸１２ａ−３を介して右支柱Ｂ１２ａ−２の右上ローラ１２ａ−７が便座１０の裏面に設けた右上カイド１２ａ−４に沿って走行する。
また、左支柱Ａ１２ｂ−１の左下ローラ１２ｂ−６の走行に伴い、交差軸１２ｂ−３を介して左支柱Ｂ１２ｂ−２の左上ローラ１２ｂ−７が便座１０の裏面に設けた左上カイド１２ｂ−４に沿って走行する。【００４１】  支持機構１２を便座１０と便器ベース１１間に格納した携帯用便器１の収納状態は、便座１０と便器ベース１１の距離が最小となり、左右の交差支柱（１２ａ、１２ｂ）が略平行となっている。
略平行となっている左右の交差支柱（１２ａ、１２ｂ）を立ち上がらせるときに最も大きな力が必要となる。
収納状態の略平行状態となっている左右の交差支柱（１２ａ、１２ｂ）に揚上力を付勢し立ち上がりを容易にするスプリング（１４−１、１４−２）を便器ベース１１上に備えた。【００４２】  この様に、本考案に係る携帯用便器１は、スプリング（１４−１、１４−２）と支持機構１２に保持機構１３を備えことによって、ハンドル１３−３の右または左回転操作により右交差支柱１２ａおよび左支柱１２ｂからなる支持機構１２を可動しての便座１０を便器ベース１１に対して垂直方向に、しかも水平に昇降して便座の高さを連続可変し、使用者の体形に合わせた任意の高さに便座１０を保持する。【００４３】  携帯用便器１を使用する時は、図４に示す携帯袋１８のチャック（図示せず）を開いて、携帯用便器１を取出して、携帯袋１８内に収納されているハンドル１３−５を図１に示すようにネジ軸１３−１に取付ける。
次に、ハンドル１３−５を一方向（立脚方向）に回してネジ軸を回転させ、支持機構１２を立上げ、便座１０を任意の高さに揚上し、ハンドル１３−５の回転を止めると便座１０は任意の高さに保持される。
便座１０と便器ベース１１間に別々に折り畳まれた内袋１５と外袋１７が図３に示すようにセットされる。【００４４】  次に、図３に示すように排泄物収納袋１６の底部を内袋１５の内部に挿入し、排泄物収納袋１６の開口部を便座１０の排便口１０−１の周辺に沿わせ設置する。
使用後は、排泄物収納袋１６を携帯用便器１から取出して処理する。
次に、ハンドル１３−５を立上げ時の逆方向に回し、便座１０と便器ベースとが最短距離になるまで便座１０を下降させ、内袋１５および外袋１７を便座１０と便器ベース１１の間に別々に折畳み、収納する。
そして、携帯用便器１を図４に示すように携帯袋１８内に収め、チャック（図示せず）を締めて格納する。【００４５】  この様に、本考案に係る携帯用便器１は、携帯用便器１を素早く携帯袋１８から取出し、簡単に使用状態にセットすることができ、また容易に携帯袋１８に格納し、携帯することができる。【００４６】  図５、図６、図７および図８は請求項８、請求項９、請求項１０または請求項１１に係る携帯用便器の実施形態２の説明図である。
図５〜図８を用いて携帯用便器２の機能を説明する。
携帯用便器２は、便座２０、排便口２０−１、便器ベース２１、支持機構２２、上支柱２２−１、上支柱受２２−２、上支柱受軸２２−３、下支柱２２−４、下支柱受２２−５、下支柱受軸２２−６、連結軸２２−７、保持機構２３、スプリング２３−１、フック機構２４、排泄物収納袋２５と携帯袋２６を備えている。【００４７】  携帯用便器２は円形状の貫通穴を排便口２０−１とする便座２０と、この便座２０の下方に位置する便器ベース２１と、この便器ベース２１と便座２０との間にあって便座２０を支持する支持機構２２とを備えている。
支持機構２２は上支注２２−１、上支柱受２２−２、上支柱受軸２２−３、下支柱２２−４、下支柱受２２−５、下支柱受軸２２−６、連結軸２２−７とを備えている。
上支注２２−１の一端部は便座２０の下部に固定された上支柱受２２−２の上支柱受軸２２−３によって回動可能に軸支され、下支柱２２−４の一端部は便器ベース２１に固定された下支柱受２２−５の下支柱受軸２２−６によって回動可能に軸支されている。
さらに上支柱２２−１および下支柱２２−４の他端部は相互に連結軸２２−７によって回動可能に連結されている。【００４８】  支持機構２２は、連結軸２２−７にスプリング２３−１を設けた保持機構２３を備え、便器ベース２１の内側に折畳み可能とし、折畳み状態から起こし、略１８０度以上まで開き伸ばして便座２０を揚上し、一定の高さに安定して保持することができる。【００４９】  便座の裏面および便器ベース２１にフック機構２４を設けた。
フック機構２４は、便座２０の下部にフック２４−１、フック取付部２４−２、フック受軸３４−３、フックスプリング２４−４と、便器ベース２１上にフック受２４−５と貫通孔２４−６から成る。
フック２４−１はフック取付部２４−２に設けたフック受軸３４−３に回動可能に軸支されている。
便器ベース２１を貫通する様に設けた貫通孔２４−６の上に設けたフック受２４−５にフック２４−１を掛止保持するためにフック受軸３４−３にフックスプリング２４−４を設けた。【００５０】  格納状態から携帯用便器２を使用する時は、図８に示す携帯袋２６のチャック（図示せず）を開いて、携帯用便器２を取出して、フック機構２４を外すと保持機構２３により支持機構が略１８０度以上に開き伸ばされ立脚状態に維持される。
次に、図６に示すように排泄物収納袋２５の底部を携帯用便器２内部に挿入し、排泄物収納袋２５の開口部を便座２０の排便口２０−１の周辺に沿わせ設置する。
使用後は、排泄物収納袋２５を携帯用便器２から取出して処理する。
次に、保持機構２３の部分を内側に折り、便座２０を上から押して支持機構２３を内側に折畳み、便座２０をフック機構２４によって便器ベース２１にロックさせる。
そして、携帯用便器２を図８に示すように携帯袋２６内に収め、チャック（図示せず）を締めて格納する。【００５１】  この様に本考案に係る携帯用便器２は、保持機構２３を有する支持機構２２を３個備え、フック機構２４を３個備えたので、折畳み状態から簡単にフック機構２４を外して立脚し、安定した立脚状態を保持することができる。【００５２】  図９、図１０および図１１は請求項１２または請求項１３に係る携帯用便器の実施形態３の説明図である。
図９〜図１１を用いて携帯用便器３の機能を説明する。
携帯用便器３は、便座３０、排便口３０−１、便器ベース３１、支持機構３２と保持機構３３を備える。
支持機構３２は、支柱３２−１、上支柱受３２−２、上軸受３２−３、上支柱軸３２−４、下支柱受３２−５、下軸受３２−６と下支柱軸３２−７を備える。
保持機構３３は、回転盤３３−１，回転盤軸３３−２、第１アーム３３−３、第２アーム３３−４、アーム軸３３−５、ハンドル３３−６、ストッパーＡ３３−７とストッパーＢ３３−８を備える。【００５３】  上支柱受３２−２は一方向に略Ｕ字形状の開口部を有した断面凹形の筒形状をしており、便座３０の裏面縁辺に設けた上軸受３２−３に回転可能に固定されている。
下支柱受３２−５は一方向に略Ｕ字形状の開口部を有した断面凹形の筒形状をしており、便器ベース３１上縁辺に設けた下軸受３２−６に回転可能に固定されている。
支柱３２−１の一端部は上支柱受３２−２に設けた上支柱軸３２−４に回動可能に軸支  され、他端部は下支柱受３２−５に設けた下支柱軸３２−７に回動可能に軸支されてい  る。【００５４】  保持機構３３は便器ベース３１の中心に設けた回転盤軸３３−２に回転可能に軸支され、便器ベース３１上に設けた回転盤３３−１と、回転盤３３−１の縁辺に一端部を回動可能に固定した第１アーム３３−３と、一端部を下支柱受３２−６に固定した第２アーム３３−４と、回転盤３３−１上に取付けられたハンドル３３−６と、便器ベース３３上にハンドル３３−６の可動範囲を限定するストッパーＡ３３−７と、ストッパーＢ３３−８を備える。
第１アーム３３−３と第２アーム３３−４の他端部は相互に回動可能に連結しされている。【００５５】  携帯用便器３が立脚状態にあり、しかも保持機構３３のハンドル３３−６がストッパーＡ３３−７の位置にある場合は、第１アーム３３−３と第２アーム３３−４の成す連結角度が鈍角となり、便座３０を時計方向に回転させて支柱３２−１を横倒し、図１１に示す格納状態にできる。
便座３０を時計方向に回転させることによって上支柱受３２−２が時計方向に回転し、支柱３２−１を介して下支柱受３２−５も時計方向に回転し、支柱３２を横倒して支持機構３２を便座３０と便器ベース３１の間に収納して便座３０と便器ベース３１を最小距離にして重ねた状態で携帯袋（図示せず）に格納する。【００５６】  また図１１に示す携帯用便器３の格納状態から立脚状態にするには、便座３０を反時計方向に回転させることによって上支柱受３２−２が反時計方向に回転し、支柱３２−１を介して下支柱受３２−５も反時計方向に回転し、支持機構３２の支柱３２−１を略垂直に立上げて便座３０を揚上する。
保持機構３３はハンドル３３−６をストッパーＢ３３−６に係止させて第１アーム３３−３と第２アーム３３−４の連結角度を鋭角にして下支柱受３２−５をロックし、時計方向への回転を阻止して立脚状態を安定に保持する。
携帯用便器３は保持機構３３を備えた支持機構３２を便座３０と便器ベース３１の間に３個設けた。【００５７】  格納状態から携帯用便器３を使用する時は、携帯袋（図示せず）のチャック（図示せず）を開いて、携帯用便器３を取出して、便座３０を反時計方向に回転させて３本の支柱を略垂直に立ち上げて立脚状態にし、保持機構３２のハンドル３３−６をストッパーＢ３３−８に掛止して立脚状態を安定に維持する。
次に、排泄物収納袋（図示せず）の底部を携帯用便器３内部に挿入し、排泄物収納袋の開口部を便座３０の排便口３０−１の周辺に沿わせ設置する。
使用後は、排泄物収納袋を携帯用便器３から取出して処理する。
次に、保持機構３２のハンドル３３−６をストッパーＡ３３−７に掛止し，便座３０を時計方向に回転させて３本の支柱を横倒して支持機構３２および保持機構３３を内側に収納し、そして、携帯用便器３を携帯袋内に収め、チャックを締めて格納する。【００５８】  この様に本考案に係る携帯用便器３は、保持機構３３を有する支持機構３２を３個備え、簡単に立脚し、安定した立脚状態を保持することができる。【００５９】  図１２は請求項１４に係る携帯用便器の実施形態３の説明図である。
図１２を用いて携帯用便器４の機能を説明する。
携帯用便器４は、
便座３０、排便口３０−１、便器ベース３１、支持機構３２、保持機構４２とスイッチボックス４３を備える。
支持機構３２は、支柱３２−１、上支柱受３２−２、上軸受３２−３、上支柱軸３２−４、下支柱受３２−５、下軸受３２−６と下支柱軸３２−７を備える。
保持機構４２は、回転盤４２−１，回転盤軸４２−２、第１アーム４２−３、アーム軸４２−４、第２アーム４２−５、感知穴４２−６、センサーＡ４２−７、センサーＢ４２−８、モーター４２−９とモーターギア４２−１０を備える。【００６０】  携帯用便器４は携帯用便器３（図９参照）の基本的構造と同一であるが、保持機構の一部を電動式にした。
携帯用便器３の保持機構３３のハンドル３３−６による回転盤３３−１の駆動を、携帯用便器４ではモーター４２−９とモーター４２−９に設けたモーターギア４２−１０によって回転盤４２−１を回転駆動する。【００６１】  また、携帯用便器３のストッパーＡ３３−７とストッパーＢ３３−８でハンドル３３−６の可動範囲を限定していたが、携帯用便器４では第２アーム４２−５に設けた感知穴４２−６、便器ベース３１上に設けたセンサーＡ４２−７とセンサーＢ４２−８で第２アーム４２−５の位置を検出し、この検出信号に基づいてモーター４２−９を制御する。
例えば、センサーＡ４２−７およびセンサーＢ４２−８に赤外線スイッチを用いても良い。【００６２】  使用する時は、携帯用便器４を携帯袋（図４参照）のチャック（図示せず）を開けて取り出す。
次に、格納状態から便座３０を反時計方向に回転させて支柱３２−１を完全直立させると、保持機構４２の第２アーム４２−５の感知穴４２−６がセンサーＡ４２−７の真上あり、センサーＡ４２−７が第２アーム４２−５の位置を検知してモーター４２−９を起動し、モーターギア４２−１０を介して回転盤４２−１を時計方向に回転させる。
回転盤４２−１の時計方向への回転に伴ない、第１アーム４２−３が移動して第２アーム４２−５を反時計方向に回動させ、感知穴４２−６がセンサーＢ４２−８の位置まで来るとセンサーＢ４２−８が検知してモーター４２−９を停止する。
第１アーム４２−３と第２アーム４２−５の連結角度をより小さくして鋭角とし、下支柱受３２−５の時計方向への回転を阻止して携帯用便器４の立脚状態を安定に保持する。【００６３】  次に、排泄物収納袋（図示せず）の底部を携帯用便器４内部に挿入し、排泄物収納袋の開口部を便座３０の排便口３０−１の周辺に沿わせ設置する。
使用後は、排泄物収納袋を携帯用便器３から取出して処理する。【００６４】  立脚状態にある携帯用便器４を格納状態にするには、スイッチボックス４３のプッシュスイッチ（図示せず）を押してモーター４２−９を起動し、モーターギア４２−１０によって回転盤４２−１反時計方向に回転させ、第１アーム４２−３の回転盤４２−１上での支点を変位させて第２アーム４２−５を時計方向に回動させ、感知穴４２−６がセンサーＡ４２−７の真上に来るとセンサーＡ４２−７が感知してモーター４２−９を停止する。
この時は、第１アーム４２−３と第２アーム４２−５の連結角度を広げて鈍角状態となり、下支柱受３２−５は時計方向に回転可能状態となっている。
次に、便座３０を時計方向に回転させるよって上支柱受３２−２が時計方向に回転し、支柱３２−１を介して下支柱受３２−５も時計方向に回転し、支柱３２−１を横倒して支持機構３２を便座３０と便器ベース３１の間に収納して便座３０と便器ベース３１を最小距離にして重ねた状態で携帯袋（図示せず）に格納する。【００６５】  この様に本考案に係る携帯用便器４は、保持機構４２を有する支持機構３２を便座３０と便器ベース３１の間に３個備え、使用時には携帯袋から取り出し、簡単に素早く立脚し、安定した立脚状態を保持し、また簡単に折畳んで携帯袋に格納することことができる。【００６６】  図１３、図１４は請求項１５、請求項１６、請求項１７と請求項１８に係る携帯用便器の実施形態５の説明図である。
図１３と図１４を用いて携帯用便器５の機能を説明する。
携帯用便器５は、便座５０、排便口５０−１、支持機構５１と保持機構５２を備える。
支持機構５１は、右支柱Ａ５１−１、右支柱受Ａ５１−２、右支柱受軸Ａ５１−３、右支柱Ｂ５１−４、右支柱受Ｂ５１−５、右支柱受軸Ｂ５１−６、右支柱連結部５１−７を備える。
保持機構５２は、右バックル５２−１、右アーム５２−２、右アーム軸５２−３、右バックル留軸５２−４、右牽引スプリング５２−５、右牽引スプリング掛止ピン５２−６、右バックルストッパーピン５２−７を備える。【００６７】  携帯用便器５は略四角形状の貫通穴を排便口５０−１とする便座５０と、この便座５０の下方に便座５０を支持する支持機構５１と、支持機構５１の折り畳み状態および立脚状態を保持する保持機構５２を備えている。
支持機構５１の右支柱Ａ５１−１の一端部は便座５０の裏面に設けた右支柱受Ａ５１−２に右支柱受軸Ａ５１−３によって回動可能に固定されており、右支柱Ｂ５１−４の一端部は便座５０の裏面に設けた右支柱受Ｂ５１−５に右支柱受軸Ｂ５１−６によって回動可能に固定されている。
また、右支柱Ａ５１−１と右支柱Ｂ５１−４は右支柱連結部５１−７で連結され一対に構成さているので、同一の動きをする。
携帯用便器５を使用する時には図１３に示すように右支柱Ａ５１−１と右支柱Ｂ５１−４を伸ばして立脚し、格納する時には図１４に示すように便座５０の裏面内に便座５０の裏面と略平行になるまで横倒する。【００６８】  保持機構５２の右アーム５２−２の一端を右支柱Ａ５１−１に右アーム軸５２−３によって回動可能に固定し、この右アーム５２−２の他端部に右バックル留軸５２−４によって右アーム５２−２と直角に右バックル５２−１の中央部を取付ける。
また、右支柱受Ａ５１−２の便座５０の裏面側に近い位置に右牽引スプリング掛止ピン５２−６を設け、右牽引スプリング５２−５の一端を右牽引スプリング掛止ピン５２−６に掛止し、右牽引スプリング５２−５の他端を右アーム軸５２−３に掛止する。
また、右支柱受Ａ５１−２に右バックルストッパーピン５２−７を設け、右バックル５２−１を係止する。【００６９】  携帯用便器５は、右バックル５２−１、右アーム５２−２、右アーム軸５２−３、右バックル留軸５２−４、右牽引スプリング５２−５、右牽引スプリング掛止ピン５２−６、右バックルストッパーピン５２−７からなる保持機構５２を備え、右支柱Ａ５１−１、右支柱受Ａ５１−２、右支柱受軸Ａ５１−３、右支柱Ｂ５１−４、右支柱受Ｂ５１−５、右支柱受軸Ｂ５１−６、右支柱連結部５１−７からなる支持機構５１を図１３に示すように便座５０の左裏面の対称位置に、しかも図１４に示すように重ならず折畳むことができる様に設ける。【００７０】  図１３に示す携帯用便器５の立脚状態では、右支柱Ａ５１−１が右バックル５２−１と右牽引スプリング５２−５の作用によって便座５０の裏面の外側に引かれ、安定した立脚状態を保持する。
また、便座５０の左裏面の左支柱Ａも同様に左バックル５２−８と左牽引スプリング５２−１０の作用によって便座５０の裏面の外側に引かれ、安定した立脚状態を保持する。図１４に示す携帯用便器５の折畳み状態では、右支柱Ａ５１−１が右バックル５２−１と右牽引スプリング５２−５の作用によって便座５０の裏面側に引かれ、折畳み状態を保持する。
また、便座５０の左裏面の左支柱Ａも同様に左バックル５２−８と左牽引スプリング５２−１０の作用によって便座５０の裏面側に引かれ、折畳み状態を保持する。【００７１】  使用する時は、携帯用便器５を携帯袋（図示せず、図４参照）のチャック（図示せず）を開けて取り出す。
次に、格納状態から折畳まれた支柱を保持機構によって立脚状態が保持されるまで開き伸ばす。
次に、排泄物収納袋（図示せず）の底部を携帯用便器５内部に挿入し、排泄物収納袋の開口部を便座５０の排便口５０−１の周辺に沿わせ設置する。
使用後は、排泄物収納袋を携帯用便器５から取出して処理する。
支柱を保持機構によって折畳み状態が保持されるまで横倒して
携帯袋（図示せず）に格納する。
【図面の簡単な説明】
【００７２】
【図１】  請求項１、請求項２、請求項３、請求項４、請求項５、請求項６または請求項７に係る携帯用便器の実施形態１の立体構造図
【図２】  図１に示す携帯用便器の立脚状態における実施形態１の側面図
【図３】  請求項１、請求項２、請求項３、請求項４、請求項５、請求項６または請求項７に係る携帯用便器の使用状態における実施形態１の断面図
【図４】  請求項１、請求項２、請求項３、請求項４、請求項５、請求項６または請求項７に係る携帯用便器の格納状態における実施形態１の側面図
【図５】  請求項８、請求項９、請求項１０または請求項１１に係る携帯用便器の実施形態２の立体構造図
【図６】  図５に示す携帯用便器の実施形態２の断面図
【図７】  請求項８、請求項９、請求項１０または請求項１１に係る携帯用便器の格納状態における実施形態２の断面図
【図８】  請求項１０または請求項１１に係る携帯用便器のフック機構の概略構成図
【図９】  請求項１２または請求項１３に係る携帯用便器の実施形態３の立体構造図
【図１０】  請求項１２または請求項１３に係る携帯用便器の格納状態における実施形態３の立体構造図
【図１１】  請求項１２または請求項１３に係る携帯用便器の実施形態３の立体断面図
【図１２】  請求項１４に係る携帯用便器の実施形態４の立体構造図
【図１３】  請求項１５、請求項１６、請求項１７または請求項１８に係る携帯用便器の実施形態５の立体構造図
【図１４】  請求項１６に係る携帯用便器の格納状態のおける実施形態５の立体構造図
【符号の説明】
【００７３】  １，２，３，４，５…携帯用便器、１０…便座、１０−１…排便口、１１…便器ベース、１２…支持機構、１２ａ…右交差支柱、１２ａ−１…右支柱Ａ、１１ａ−２…右支柱Ｂ、１２ａ−３…交差軸、１２ａ−４…右上ガイド、１２ｂ−４…左上ガイド、１２ｂ…左交差支柱、１２ｂ−１…左支柱Ａ，１２ｂ−２…左支柱Ｂ、１２ｂ−３…交差軸、１２ｂ−４…左上ガイド、１３…保持機構、１３−１…ネジ軸、１３−２…ネジ部、１３−３…ネジ軸取付部、１３−４…連結アーム、１３−５…ハンドル、１４−１…スプリング、１４−２…スプリング、２０…便座、２０−１…排便口、２１…便器ベース、２２…支持機構、２２−１…上支柱、２２−２…上支柱受、２２−３…上支柱受軸、２２−４…下支柱、２２−５…下支柱受、２２−６…下支柱受軸、２２−７…連結軸、２３…保持機構、２３−１…スプリング、２４…フック機構、２５…排泄物収納袋、２６…携帯袋、３０…便座、３０−１…排便口、３１…便器ベース、３２…支持機構、３２−１…支柱、３２−２…上支柱受、３２−３…上軸受、３２−４…上支柱軸、３２−５…下支柱受、３２−６…下軸受、３２−７…下支柱軸、３３…保持機構、３３−１…回転盤，３３−２…回転盤軸、３３−３…第１アーム、３３−４…第２アーム、３３−５…アーム軸、３３−６…ハンドル、３３−７…ストッパーＡ、３３−８…ストッパーＢ、４２…保持機構、４２−１…回転盤、４２−２…回転盤軸、４２−３…第１アーム、４２−４…アーム軸、４２−５…第２アーム、４２−６…感知穴、４２−７…センサーＡ、４２−８…センサーＢ、４２−９…モーター、４２−１０…モーターギア、４３…スイッチボックス、５０…便座、５０−１…排便口、５１…支持機構、５１−１…右支柱Ａ、５１−２…右支柱受Ａ、５１−３…右支柱受軸Ａ、５１−４…右支柱Ｂ、５１−５…右支柱受Ｂ、５１−６…右支柱受軸Ｂ、５１−７…右支柱連結部、５２…保持機構、５２−１…右バックル、５２−２…右アーム、５２−３…右アーム軸、５２−４…右バックル留軸、５２−５…右牽引スプリング、５２−６…右牽引スプリング掛止ピン、５２−７…右バックルストッパーピン。
【図１】
0003175604.tif 000003
【図２】
0003175604.tif 000004
【図３】
0003175604.tif 000005
【図４】
0003175604.tif 000006
【図５】
0003175604.tif 000007
【図６】
0003175604.tif 000008
【図７】
0003175604.tif 000009
【図８】
0003175604.tif 000010
【図９】
0003175604.tif 000011
【図１０】
0003175604.tif 000012
【図１１】
0003175604.tif 000013
【図１２】
0003175604.tif 000014
【図１３】
0003175604.tif 000015
【図１４】
0003175604.tif 000016
【手続補正書】
【提出日】平成23年10月7日(2011.10.7)
【手続補正１】
【補正対象書類名】実用新案登録請求の範囲
【補正対象項目名】全文
【補正方法】変更
【補正の内容】
【実用新案登録請求の範囲】
【請求項１】
略円形状の貫通穴の排便口を設けた便座と、この便座の下方に位置する便器ベースと、この便器ベースと前記便座との間にあって前記便座を昇降し支持する支持機構と、前記便座の支持を保持する保持機構を備えた携帯用便器において、
前記支持機構は、
右支柱Ａと右支柱Ｂが互いにＸ字状に回動可能に交差連結した右交差支柱と、
左支柱Ａと左支柱Ｂが互いにＸ字状に回動可能に交差連結した左交差支柱と、
を前記便座と前記便器ベースとの間に左右対称の位置に備え、
前記右交差支柱の一端側を前記便座の裏面および前記便器ベース上に回動可能に固定し、
他端側を前記便座の裏面および前記便器ベース上に備えた右ガイドに沿って走行可能と  し、
前記左交差支柱の一端側を前記便座の裏面および前記便器ベース上に回動可能に固定し、
他端側を前記便座の裏面および前記便器ベース上に備えた左ガイドに沿って走行可能と  し、
前記右ガイド内の右交差支柱の端子位置および前記左ガイド内の前記左交差支柱の端子  位置が前記保持機構によって保持されることを特徴とする請求項１記載の携帯用便器。
【請求項２】
前記保持機構は、
前記便器ベース上に回転可能に固定されたネジ軸と、
このネジ軸のネジ部に移動可能に連結され、前記便器ベース上に備えた右ガイドに沿って走行可能とした前記右交差支柱の端子および前記便器ベース上に備えた左ガイドに沿って走行可能とした前記左交差支柱の端子を回転自在に軸支して前記ネジ軸の回転によって前記便器ベース上を移動する連結アームと、
前記ネジ軸に着脱自在に設けたハンドルと、
を備えことを特徴とする請求項１記載の携帯用便器。
【請求項３】
前記便器ベース上に設けた右ガイドに沿って走行可能とした前記右交差支柱の端子および前記便器ベース上に設けた左ガイドに沿って走行可能とした前記左交差支柱の端子に回転自在に取付けられたローラと、
前記便座の裏面に設けた右ガイドに沿って走行可能とした前記右交差支柱の端子および前記便座の裏面に設けた左ガイドに沿って走行可能とした前記右交差支柱の端子に回転自在に取付けられたローラと、を備え、
前記便器ベースに設けた右ガイドと左ガイドとが前記便器ベース上に平行に固定されおり、前記便座に設けた右ガイドと左ガイドとが前記便座の裏面に平行に固定されていることを特徴とする請求項１記載の携帯用便器
【請求項４】
前記便座と前記便器ベースを対向させて最小距離とし、前記支持機構を前記便座と前記便器ベース間に格納した収納状態から前記便座の揚上を容易にする少なくとも１つ以上のスプリングを前記便器ベース上に備えたことを特徴とする請求項１記載の携帯用便器。
【請求項５】
略円形状の貫通穴の排便口を設けた便座と、この便座の下方に位置する便器ベースと、この便器ベースと前記便座との間にあって前記便座の立脚を支持する支持機構と、前記便座の支持を保持する保持機構を備えた携帯用便器において、
前記支持機構に、一端部を前記便座の下部に回動可能に固定した上支柱と、一端部を前記上支柱の他端部と相互に回動可能に連結した下支柱と、を備え、
前記保持機構に、前記上支柱と前記下支柱との連結部にあって、前記上支柱と前記下支柱との連結部を略１８０度以上まで開き伸ばし、前記便座を安定した立脚状態に保持するスプリングを備えたことを特徴とする携帯用便器。
【請求項６】
前記下支柱の他端部を前記便器ベースに回動可能に固定したことを特徴とする請求項５記載の携帯用便器。
【請求項７】
前記便座の裏面に回動可能に設けたフックと、前記便器ベース上に設けた前記フックを止めるフックロックと、前記フックを前記フックロックに掛止保持するために前記フックに設けたフックスプリングとを有するフック機構を備えたことを特徴とする請求項６記載の携帯用便器。
【請求項８】
前記フック機構を少なくとも１個以上備え、前記保持機構を有する前記支持機構を少なくと１個以上備えたことを特徴とする請求項７記載の携帯用便器。
【請求項９】
略円形状の貫通穴の排便口を設けた便座と、この便座の下方に位置する便器ベースと、この便器ベースと前記便座との間にあって前記便座の立脚を支持する支持機構と、前記便座の支持を保持する保持機構を備えた携帯用便器において、
前記便座の裏面縁辺に一方向に略Ｕ字形状の開口部を有し、垂直中心軸まわりに回転可能に設けた断面凹形の筒形状の支柱受Ａと、前記便器ベース上の縁辺に一方向に略Ｕ字形状の開口部を有し、垂直中心軸まわりに回転可能に設けた断面凹形の筒形状の支柱受Ｂと、一端部を前記支柱受Ａに回動可能に固定され、他端部を支柱受Ｂに回動可能に固定された支柱と、を有してなる支持機構に、
前記便器ベースの中心を垂直中心軸にして回転可能に前記便器ベース上に設けた回転盤と、一端部を前記回転盤の縁辺に垂直中心軸まわりに回動可能に固定した第１アームと、前記支柱受Ｂを垂直中心軸まわりに回転させるように一端部を前記支柱受Ｂに固定した第２アームと、を有し、前記第１アームと前記第２アームの他端部相互を回動可能に連結してなる保持機構を設け、前期保持機構を設けた前記支持機構を少なくとも３つ以上備えたことを特徴とする携帯用便器。
【請求項１０】
前記回転盤上にハンドルを設け、前記便器ベース上に前記ハンドルの可動範囲を限定するストッパーＡとストッパーＢを設け、
前記便座を一方向に回転させることによって前記支柱受Ａ、前記支柱、前記支柱受Ｂ、前記第２アームおよび前記第１アームを介して前記回転盤を回転させ、前記支持機構を前記便座と前記便器ベースの間に格納して前記便座と前記便器ベースを最小距離にして重ねた状態では前記ハンドルが前記ストッパーＡに係止した位置にあり、前記第１アームと前記第２アームの連結角度が鈍角となり、
また前記便座を反対方向に回転させることによって前記支持機構の支柱を略垂直に立上げて前記便座を揚上し、前記ハンドルを前記ストッパーＢに係止させて前記第１アームと前記第２アームの連結角度を鋭角とし、立脚状態を安定に保持することを特徴とする請求項９記載の携帯用便器。
【請求項１１】
前記保持機構に、
前記便器ベース上に設けて前記回転盤を歯車で回転駆動するモーターと、
前記モーターによる前記回転盤の回転範囲を限定するために前記便器ベース上に設けたセンサＡとセンサＢと、
前記第２アームに設けて前記センサＡと前記センサＢを感知する感知口と、
を備え、前記第１アームと前記第２アームの連結角度が鈍角になる方向に前記第２アームが移動して前記センサＡを感知しモーターを停止し、前記第１アームと前記第２アームの連結角度が鋭角になる方向に前記第２アームが移動して前記センサＢを感知しモーターを停止することを特徴とする請求項９記載の携帯用便器。
【請求項１２】
略円形状の貫通穴の排便口を設けた便座と、この便座の下方にあって前記便座を立脚支持する支持機構を備えた携帯用便器において、
前記支持機構は、
一端部が前記便座の裏面に回動可能に固定され、相互に連結されて一対となった支柱Ａと支柱Ｂを前記便座裏面に左右対称、または前後対称の位置に備え、前記便座内に前記便座と略平行に折畳可能であることを特徴とする携帯用便器。
【請求項１３】
前記支持機構を構成する支柱に回動可能に固定したバックルと、
前記支柱に設けて前記バックルを係止するバックルストッパーと、
一端部を前記支柱受に掛止し、他端部を前記バックルに掛止した牽引スプリングと、を有してなる保持機構を前記支持機構に備え、前期支持機構の立脚状態および折畳み状態を保持することを特徴とする請求項１２記載の携帯用便器。
【手続補正書】
【提出日】平成24年2月21日(2012.2.21)
【手続補正１】
【補正対象書類名】実用新案登録請求の範囲
【補正対象項目名】全文
【補正方法】変更
【補正の内容】
【実用新案登録請求の範囲】
【請求項１】
略円形状の貫通穴の排便口を設けた便座と、この便座の下方に位置する便器ベースと、この便器ベースと前記便座との間にあって前記便座を昇降し支持する支持機構と、前記便座の支持を保持する保持機構を備えた携帯用便器において、
前記支持機構は、
右支柱Ａと右支柱Ｂが互いにＸ字状に回動可能に交差連結した右交差支柱と、
左支柱Ａと左支柱Ｂが互いにＸ字状に回動可能に交差連結した左交差支柱と、
を前記便座と前記便器ベースとの間に左右対称の位置に備え、
前記右交差支柱の一端側を前記便座の裏面および前記便器ベース上に回動可能に固定し、
他端側を前記便座の裏面および前記便器ベース上に備えた右ガイドに沿って走行可能とし、
前記左交差支柱の一端側を前記便座の裏面および前記便器ベース上に回動可能に固定し、
他端側を前記便座の裏面および前記便器ベース上に備えた左ガイドに沿って走行可能とし、
前記右ガイドに沿って走行可能な前記右交差支柱の他端の前記右ガイド内での位置および前記左ガイドに沿って走行可能な前記左交差支柱の他端の前記左ガイド内での位置が前記保持機構によって保持されることを特徴とする携帯用便器。
【請求項２】
前記保持機構は、
前記便器ベース上に回転可能に固定されたネジ軸と、
このネジ軸のネジ部に移動可能に連結され、前記便器ベース上に備えた右ガイドに沿って走行可能とした前記右交差支柱の端子および前記便器ベース上に備えた左ガイドに沿って走行可能とした前記左交差支柱の端子を回転自在に軸支して前記ネジ軸の回転によって前記便器ベース上を移動する連結アームと、
前記ネジ軸に着脱自在に設けたハンドルと、
を備えことを特徴とする請求項１記載の携帯用便器。
【請求項３】
前記便器ベース上に設けた右ガイドに沿って走行可能とした前記右交差支柱の端子および前記便器ベース上に設けた左ガイドに沿って走行可能とした前記左交差支柱の端子に回転自在に取付けられたローラと、
前記便座の裏面に設けた右ガイドに沿って走行可能とした前記右交差支柱の端子および前記便座の裏面に設けた左ガイドに沿って走行可能とした前記右交差支柱の端子に回転自在に取付けられたローラと、を備え、
前記便器ベースに設けた右ガイドと左ガイドとが前記便器ベース上に平行に固定されおり、前記便座に設けた右ガイドと左ガイドとが前記便座の裏面に平行に固定されていることを特徴とする請求項１記載の携帯用便器
【請求項４】
前記便座と前記便器ベースを対向させて最小距離とし、前記支持機構を前記便座と前記便器ベース間に格納した収納状態から前記便座の揚上を容易にする少なくとも１つ以上のスプリングを前記便器ベース上に備えたことを特徴とする請求項１記載の携帯用便器。
【請求項５】
略円形状の貫通穴の排便口を設けた便座と、この便座の下方に位置する便器ベースと、この便器ベースと前記便座との間にあって前記便座の立脚を支持する支持機構と、前記便座の支持を保持する保持機構を備えた携帯用便器において、
前記支持機構に、一端部を前記便座の下部に回動可能に固定した上支柱と、一端部を前記上支柱の他端部と相互に回動可能に連結し他端部を前記便器ベースに回動可能に固定した下支柱とから成り、前期上支柱と前期下支柱は前記便座内側に折畳み格納状態となり、使用時は前記上支柱と前記下支柱との連結部を略１８０度以上まで開き、くの字状態で開き止まる前記上支柱と前記下支柱とを備え、
前記保持機構に、前記上支柱と前記下支柱との連結部に装着して立脚時に前記上支柱と前記下支柱との連結部を略１８０度以上まで付勢し開き伸ばして前期上支柱と前記下支柱とから成る前記支持機構をくの字状態に維持し、前記便座を安定した立脚状態に保持するスプリングを備えたことを特徴とする携帯用便器。
【請求項６】
前記下支柱の他端部を前記便器ベースに回動可能に固定したことを特徴とする請求項５記載の携帯用便器。
【請求項７】
、
前記便座の裏面に回動可能に設けたフックと、前記便器ベース上に設けた前記フックを止めるフックロックと、前記フックを前記フックロックに掛止保持するために前記フックに設けたフックスプリングとを有するフック機構を備えたことを特徴とする請求項６記載の携帯用便器。
【請求項８】
前記フック機構を少なくとも１個以上備え、前記保持機構を有する前記支持機構を少なくと１個以上備えたことを特徴とする請求項７記載の携帯用便器。
【請求項９】
略円形状の貫通穴の排便口を設けた便座と、この便座の下方に位置する便器ベースと、この便器ベースと前記便座との間にあって前記便座の立脚を支持する支持機構と、前記便座の支持を保持する保持機構を備えた携帯用便器において、
前記便座の裏面縁辺に一方向に略Ｕ字形状の開口部を有し、垂直中心軸まわりに回転可能に設けた断面凹形の筒形状の支柱受Ａと、前記便器ベース上の縁辺に一方向に略Ｕ字形状の開口部を有し、垂直中心軸まわりに回転可能に設けた断面凹形の筒形状の支柱受Ｂと、一端部を前記支柱受Ａに回動可能に固定され、他端部を支柱受Ｂに回動可能に固定された支柱と、を有してなる支持機構に、
前記便器ベースの中心を垂直中心軸にして回転可能に前記便器ベース上に設けた回転盤と、一端部を前記回転盤の縁辺に垂直中心軸まわりに回動可能に固定した第１アームと、前記支柱受Ｂを垂直中心軸まわりに回転させるように一端部を前記支柱受Ｂに固定した第２アームと、を有し、前記第１アームと前記第２アームの他端部相互を回動可能に連結してなる保持機構を設け、前期保持機構を設けた前記支持機構を少なくとも３つ以上備えたことを特徴とする携帯用便器。
【請求項１０】
前記回転盤上にハンドルを設け、前記便器ベース上に前記ハンドルの可動範囲を限定するストッパーＡとストッパーＢを設け、
前記便座を一方向に回転させることによって前記支柱受Ａ、前記支柱、前記支柱受Ｂ、前記第２アームおよび前記第１アームを介して前記回転盤を回転させ、前記支持機構を前記便座と前記便器ベースの間に格納して前記便座と前記便器ベースを最小距離にして重ねた状態では前記ハンドルが前記ストッパーＡに係止した位置にあり、前記第１アームと前記第２アームの連結角度が鈍角となり、
また前記便座を反対方向に回転させることによって前記支持機構の支柱を略垂直に立上げて前記便座を揚上し、前記ハンドルを前記ストッパーＢに係止させて前記第１アームと前記第２アームの連結角度を鋭角とし、立脚状態を安定に保持することを特徴とする請求項９記載の携帯用便器。
【請求項１１】
前記保持機構に、
前記便器ベース上に設けて前記回転盤を歯車で回転駆動するモーターと、
前記モーターによる前記回転盤の回転範囲を限定するために前記便器ベース上に設けたセンサＡとセンサＢと、
前記第２アームに設けて前記センサＡと前記センサＢを感知する感知口と、
を備え、前記第１アームと前記第２アームの連結角度が鈍角になる方向に前記第２アームが移動して前記センサＡを感知しモーターを停止し、前記第１アームと前記第２アームの連結角度が鋭角になる方向に前記第２アームが移動して前記センサＢを感知しモーターを停止することを特徴とする請求項９記載の携帯用便器。
【請求項１２】
略円形状の貫通穴の排便口を設けた便座と、この便座の下方にあって前記便座を立脚支持する支持機構を備えた携帯用便器において、
前記支持機構は、
一端部が前記便座の裏面に回動可能に固定された支柱Ａと支柱Ｂを前記便座裏面に左右対称、または前後対称の位置に備え、前記便座内に前記便座と略平行に折畳可能であることを特徴とする携帯用便器。
【請求項１３】
前記支持機構を構成する支柱に回動可能に固定したバックルと、
前記支柱に設けて前記バックルを係止するバックルストッパーと、
一端部を前記支柱受に掛止し、他端部を前記バックルに掛止した牽引スプリングと、を有してなる保持機構を前記支持機構に備え、前期支持機構の立脚状態および折畳み状態を保持することを特徴とする請求項１２記載の携帯用便器。
【手続補正２】
【補正対象書類名】明細書
【補正対象項目名】全文
【補正方法】変更
【補正の内容】
【考案の詳細な説明】
【技術分野】
【０００１】  本考案は、携帯用便器に係り、特に、持運びが容易で、自動車内、登山等の野外、災害時に簡便に使用ができる携帯用便器に関する。
【背景技術】
【０００２】  従来の携帯用便器として、軽量化、小型化を図った種々の便器が提案されている。
常設トイレのない野外、自動車内、または災害時に簡便に使用できる携帯用便器が要望されている。
【先行技術文献】
【特許文献】
【０００３】  その例として特許公開２０１０−２４０１６６号公報で提案されている携帯用便器は、便器本体部に着脱可能なキャスターを備えた主脚部と補助脚部を有し、座面の高さ調整が容易で傾斜移動性に優れているとしている。
【考案の概要】
【考案が解決しようとする課題】
【０００４】  しかしながら、便器本体部、主脚部および補助脚部の構造が複雑で、組立に時間が掛かり、緊急性に問題があり、また携帯性に課題がある。【０００５】  本考案は、上記した従来技術の課題を解決するためになされたものであって、構造が簡単で、素早くセットできて携帯性に優れ、屋外、車内等使用できる携帯用便器を提供することにある。
【課題を解決するための手段】
【０００６】    上記課題を解決するために本考案に係る携帯用便器は、略円形状の貫通穴を排便口とする便座と、この便座の下方に位置する便器ベースとを備え、且つ右支柱Ａと右支柱Ｂが互いにＸ字状に回動可能に交差連結した右交差支柱と、左支柱Ａと左支柱Ｂが互いにＸ字状に回動可能に交差連結した左交差支柱と、を便座と便器ベースとの間に左右対称の位置に備え、右交差支柱の一端側を便座の裏面および便器ベース上に回動可能に固定し、他端側を便座の裏面および便器ベース上に備えた右ガイドに沿って走行可能とし、左交差支柱の一端側を便座の裏面および便器ベース上に回動可能に固定し、他端側を便座の裏面および便器ベース上に備えた左ガイドに沿って走行可能とした支持機構を備えたので、便座を便器ベース上に対向して水平に昇降して便座の高さを連続可変することができる。【０００７】  また、本考案に係る携帯用便器は、略円形状の貫通穴を排便口とする便座と、この便座の下方に位置する便器ベースとを備え、且つこの便座の下方に位置する便器ベースとを備え、便器ベース上に回転可能に固定されたネジ軸と、このネジ軸のネジ部に移動可能に連結され、便器ベース上に備えた右ガイドに沿って走行可能とした右交差支柱の端子および便器ベース上に備えた左ガイドに沿って走行可能とした左交差支柱の端子を回転自在に軸支してネジ軸の回転によって便器ベース上を移動する連結アームと、ネジ軸に着脱自在に設けたハンドルと、からなる保持機構を備えたので、支持機構と連動して便座を便器ベース上に対向して水平に昇降して便座の高さを連続可変し、保持することができる。【０００８】  さらに、本考案に係る携帯用便器は、略円形状の貫通穴を排便口とする便座と、この便座の下方に位置する便器ベースとを備え、且つ便器ベース上に設けた右ガイドに沿って走行可能とした右交差支柱の端子および便器ベース上に設けた左ガイドに沿って走行可能とした左交差支柱の端子に回転自在に取付けられたローラと、便座の裏面に設けた右ガイドに沿って走行可能とした右交差支柱の端子および便座の裏面に設けた左ガイドに沿って走行可能とした右交差支柱の端子に回転自在に取付けられたローラと、を備え、さらに便器ベースに設けた右ガイドと左ガイドとが便器ベース上に平行に固定され、便座に設けた右ガイドと左ガイドとが便座の裏面に平行に固定されているので、支持機構と保持機構が連動して便座を便器ベース上に対向して水平に昇降して便座の高さを滑らかに連続可変することができる。【０００９】  また、本考案に係る携帯用便器は、略円形状の貫通穴を排便口とする便座と、この便座の下方に位置する便器ベースとを備え、且つ便座と便器ベースを対向させて最小距離とし、支持機構を便座と便器ベース間に少なくとも１つ以上のスプリングを便器ベース上に備えたので、格納した収納状態から便座の揚上を容易にすることができる。【００１０】  さらに、本考案に係る携帯用便器は、略円形状の貫通穴を排便口とする便座と、この便座の下方に位置する便器ベースとを備え、且つ一端部を便座の下部に回動可能に固定した上支柱と、一端部を便器ベースに回動可能に固定した下支柱と、上支柱の他端部と下支柱の他端部を相互に回動可能に連結してなる支持機構とを備え、さらに上支柱と下支柱との連結部にあって、上支柱と下支柱との連結部を略１８０度以上まで開き伸ばすスプリングを備えた保持機構を備えたので、簡単に折畳み格納したり、または立脚することができ、さらに便座を安定した立脚状態に保持することができる。【００１１】  また、本考案に係る携帯用便器は、略円形状の貫通穴を排便口とする便座と、この便座の下方に位置する便器ベースとを備え、且つ便座の裏面に回動可能に設けたフックと、便器ベース上に設けたフックを止めるフックロックと、フックをフックロックに掛止保持するためにフックに設けたフックスプリングとを有するフック機構を少なくとも１個以上備えたので、支持機構を折畳み、便座と便器ベース間に確実に格納し保持することができる。【００１２】  さらに、本考案に係る携帯用便器は、略円形状の貫通穴を排便口とする便座と、この便座の下方に位置する便器ベースと、を備え、且つ便座の裏面縁辺に一方向に略Ｕ字形状の開口部を有し、垂直中心軸まわりに回転可能に設けた断面凹形の筒形状の支柱受Ａと、便器ベース上の縁辺に一方向に略Ｕ字形状の開口部を有し、垂直中心軸まわりに回転可能に設けた断面凹形の筒形状の支柱受Ｂと、一端部を支柱受Ａに回動可能に固定され、他端部を支柱受Ｂに回動可能に固定された支柱と、を有してなる支持機構に、便器ベースの中心を垂直中心軸にして回転可能に便器ベース上に設けた回転盤と、一端部を回転盤の縁辺に垂直中心軸まわりに回動可能に固定した第１アームと、支柱受Ｂを垂直中心軸まわりに回転させるように一端部を支柱受Ｂに固定した第２アームと、を有し、第１アームと第２アームの他端部相互を回動可能に連結してなる保持機構を設け、保持機構を設けた支持機構を少なくとも３つ以上備えたので、簡単に折畳み格納したり、または立脚することができ、さらに便座を安定した立脚状態に保持することができる。【００１３】  また、本考案に係る携帯用便器は、略円形状の貫通穴を排便口とする便座と、この便座の下方に位置する便器ベースと、を備え、且つ回転盤上にハンドルを設け、便器ベース上にハンドルの可動範囲を限定するストッパーＡとストッパーＢを設け、便座を一方向に回転させることによって支柱受Ａ、支柱、支柱受Ｂ、第２アームおよび第１アームを介して回転盤を回転させ、支持機構を便座と便器ベースの間に格納して便座と便器ベースを最小距離にして重ねた状態ではハンドルがストッパーＡに係止した位置にあり、第１アームと第２アームの連結角度が鈍角となるようにしたので、便座を回転させて格納状態および立脚状態にすることができ、また便座を反対方向に回転させることによって支持機構の支柱を略垂直に立上げて便座を揚上し、ハンドルをストッパーＢに係止させて第１アームと第２アームの連結角度を鋭角となるようにしたので、便座の回転を抑制し立脚状態を安定に保持することができる。【００１４】  さらに、本考案に係る携帯用便器は、略円形状の貫通穴を排便口とする便座と、この便座の下方に位置する便器ベースとを備え、且つ保持機構に、便器ベース上に設けて回転盤を歯車で回転駆動するモーターと、モーターによる回転盤の回転範囲を限定するために便器ベース上に設けたセンサＡとセンサＢと、���２アームに設けてセンサＡとセンサＢを感知する感知口と、を備えたので、第１アームと第２アームの連結角度が鈍角になる方向に第２アームが移動してセンサＡを感知してモーターを停止させ、また第１アームと第２アームの連結角度が鋭角になる方向に第２アームが移動してセンサＢを感知してモーターを停止させることができる。【００１５】  また、本考案に係る携帯用便器は、略円形状の貫通穴を排便口とする便座と、且つ
便座の裏面に設けた支柱受に一端部が回動可能に固定された支柱を有する支持機構を便座の裏面に少なくとも２つ以上備えたので、便座を安定に支えることができる。【００１６】  さらに、本考案に係る携帯用便器は、略円形状の貫通穴を排便口とする便座と、且つ
支柱に一端部が便座の裏面に回動可能に固定された支柱Ａと支柱Ｂを備え、
便座内に便座と略平行に折畳可能であるので、薄い格納常態にできる。【００１７】  また、本考案に係る携帯用便器は、支持機構の支柱Ａと支柱Ｂが連結されているので、便座をより安定に支えることができる。【００１８】  さらに、本考案に係る携帯用便器は、支持機構を構成する支柱に回動可能に固定したバックルと、支柱に設けてバックルを係止するバックルストッパーと、一端部を支柱受に掛止し、他端部をバックルに掛止した牽引スプリングと、を有してなる保持機構を支持機構に備えたので、支持機構の立脚状態および折畳み状態を保持することができる。
【考案の効果】
【００１９】  本考案に係る携帯用便器は、略円形状の貫通穴を排便口とする便座と、この便座の下方に位置する便器ベースとを備え、且つ右支柱Ａと右支柱Ｂが互いにＸ字状に回動可能に交差連結した右交差支柱と、左支柱Ａと左支柱Ｂが互いにＸ字状に回動可能に交差連結した左交差支柱と、を便座と便器ベースとの間に左右対称の位置に備え、右交差支柱の一端側を便座の裏面および便器ベース上に回動可能に固定し、他端側を便座の裏面および便器ベース上に備えた右ガイドに沿って走行可能とし、左交差支柱の一端側を便座の裏面および便器ベース上に回動可能に固定し、他端側を便座の裏面および便器ベース上に備えた左ガイドに沿って走行可能とした支持機構を備え、便座を便器ベース上に対向して水平に昇降して便座の高さを連続可変することができるので、使用者の体型にあった高さに調整することができ、利便性の向上が図れる。【００２０】  また、本考案に係る携帯用便器は、略円形状の貫通穴を排便口とする便座と、この便座の下方に位置する便器ベースとを備え、且つこの便座の下方に位置する便器ベースとを備え、便器ベース上に回転可能に固定されたネジ軸と、このネジ軸のネジ部に移動可能に連結され、便器ベース上に備えた右ガイドに沿って走行可能とした右交差支柱の端子および便器ベース上に備えた左ガイドに沿って走行可能とした左交差支柱の端子を回転自在に軸支してネジ軸の回転によって便器ベース上を移動する連結アームと、ネジ軸に着脱自在に設けたハンドルと、からなる保持機構を備え、支持機構と連動して便座を便器ベース上に対向して水平に昇降して便座の高さを連続可変し、保持することができるので、使勝手が良く、より利便性の向上が図れる。【００２１】  さらに、本考案に係る携帯用便器は、略円形状の貫通穴を排便口とする便座と、この便座の下方に位置する便器ベースとを備え、且つ便器ベース上に設けた右ガイドに沿って走行可能とした右交差支柱の端子および便器ベース上に設けた左ガイドに沿って走行可能とした左交差支柱の端子に回転自在に取付けられたローラと、便座の裏面に設けた右ガイドに沿って走行可能とした右交差支柱の端子および便座の裏面に設けた左ガイドに沿って走行可能とした右交差支柱の端子に回転自在に取付けられたローラと、を備え、さらに便器ベースに設けた右ガイドと左ガイドとが便器ベース上に平行に固定され、便座に設けた右ガイドと左ガイドとが便座の裏面に平行に固定され、支持機構と保持機構が連動して便座を便器ベース上に対向して水平に昇降して便座の高さを滑らかに連続可変することができるので、利便性および安全性の向上が図れる。【００２２】  また、本考案に係る携帯用便器は、略円形状の貫通穴を排便口とする便座と、この便座の下方に位置する便器ベースとを備え、且つ便座と便器ベースを対向させて最小距離とし、支持機構を便座と便器ベース間に少なくとも１つ以上のスプリングを便器ベース上に備え、格納した収納状態から便座の揚上を容易にすることができるので、より利便性および安全性の向上が図れる。【００２３】  さらに、本考案に係る携帯用便器は、略円形状の貫通穴を排便口とする便座と、この便座の下方に位置する便器ベースとを備え、且つ一端部を便座の下部に��動可能に固定した上支柱と、一端部を便器ベースに回動可能に固定した下支柱と、上支柱の他端部と下支柱の他端部を相互に回動可能に連結してなる支持機構とを備え、さらに上支柱と下支柱との連結部にあって、上支柱と下支柱との連結部を略１８０度以上まで開き伸ばすスプリングを備えた保持機構を備え、簡単に折畳み格納したり、または立脚することができ、さらに便座を安定した立脚状態に保持することができるので、利便性および安全性の向上が図れる。【００２４】  また、本考案に係る携帯用便器は、略円形状の貫通穴を排便口とする便座と、この便座の下方に位置する便器ベースとを備え、且つ便座の裏面に回動可能に設けたフックと、便器ベース上に設けたフックを止めるフックロックと、フックをフックロックに掛止保持するためにフックに設けたフックスプリングとを有するフック機構を少なくとも１個以上備え、支持機構を折畳み、便座と便器ベース間に確実に格納し保持することができるので、より携帯性の向上が図れる。【００２５】  さらに、本考案に係る携帯用便器は、略円形状の貫通穴を排便口とする便座と、この便座の下方に位置する便器ベースと、を備え、且つ便座の裏面縁辺に一方向に略Ｕ字形状の開口部を有し、垂直中心軸まわりに回転可能に設けた断面凹形の筒形状の支柱受Ａと、便器ベース上の縁辺に一方向に略Ｕ字形状の開口部を有し、垂直中心軸まわりに回転可能に設けた断面凹形の筒形状の支柱受Ｂと、一端部を支柱受Ａに回動可能に固定され、他端部を支柱受Ｂに回動可能に固定された支柱と、を有してなる支持機構に、便器ベースの中心を垂直中心軸にして回転可能に便器ベース上に設けた回転盤と、一端部を回転盤の縁辺に垂直中心軸まわりに回動可能に固定した第１アームと、支柱受Ｂを垂直中心軸まわりに回転させるように一端部を支柱受Ｂに固定した第２アームと、を有し、第１アームと第２アームの他端部相互を回動可能に連結してなる保持機構を設け、保持機構を設けた支持機構を少なくとも３つ以上備え、簡単に折畳み格納したり、または立脚することができ、さらに便座を安定した立脚状態に保持することができるので、安全性、利便性および携帯性の向上が図れる。【００２６】  また、本考案に係る携帯用便器は、略円形状の貫通穴を排便口とする便座と、この便座の下方に位置する便器ベースと、を備え、且つ回転盤上にハンドルを設け、便器ベース上にハンドルの可動範囲を限定するストッパーＡとストッパーＢを設け、便座を一方向に回転させることによって支柱受Ａ、支柱、支柱受Ｂ、第２アームおよび第１アームを介して回転盤を回転させ、支持機構を便座と便器ベースの間に格納して便座と便器ベースを最小距離にして重ねた状態ではハンドルがストッパーＡに係止した位置にあり、第１アームと第２アームの連結角度が鈍角となるようにしたので、便座を回転させて格納状態および立脚状態にすることができ、また便座を反対方向に回転させることによって支持機構の支柱を略垂直に立上げて便座を揚上し、ハンドルをストッパーＢに係止させて第１アームと第２アームの連結角度を鋭角となるようにし、便座の回転を抑制し立脚状態を安定に保持することができるので、利便性および安全性の向上が図れる。【００２７】  さらに、本考案に係る携帯用便器は、略円形状の貫通穴を排便口とする便座と、この便座の下方に位置する便器ベースとを備え、且つ保持機構に、便器ベース上に設けて回転盤を歯車で回転駆動するモーターと、モーターによる回転盤の回転範囲を限定するために便器ベース上に設けたセンサＡとセンサＢと、第２アームに設けてセンサＡとセンサＢを感知する感知口と、を備え、第１アームと第２アームの連結角度が鈍角になる方向に第２アームが移動してセンサＡを感知してモーターを停止させ、また第１アームと第２アームの連結角度が鋭角になる方向に第２アームが移動してセンサＢを感知してモーターを停止させることができるので、より利便性の向上が図れる。【００２８】  また、本考案に係る携帯用便器は、略円形状の貫通穴を排便口とする便座と、且つ
便座の裏面に設けた支柱受に一端部が回動可能に固定された支柱を有する支持機構を便座の裏面に少なくとも２つ以上備え、便座を安定に支えることができるので、安全性の向上が図れる。【００２９】  さらに、本考案に係る携帯用便器は、賂円形状の貫通穴を排便口とする便座と、且つ支柱に一端部が便座の裏面に回動可能に固定された支柱Ａと支柱Ｂを備え、便座内に便座と略平行に折畳可能であり、薄い格納常態にできるので、携帯性の向上が図れる。【００３０】  また、本考案に係る携帯用便器は、支持機構の支柱Ａと支柱Ｂが連結され、便座をより安定に支えることができるので、より安全性の向上が図れる。【００３１】  さらに、本考案に係る携帯用便器は、支持機構を構成する支柱に回動可能に固定したバックルと、支柱に設けてバックルを係止するバックルストッパーと、一端部を支柱受に掛止し、他端部をバックルに掛止した牽引スプリングと、を有してなる保持機構を支持機構に備え、支持機構の立脚状態および折畳み状態を保持することができるので、安全性および携帯性の向上が図れる。【００３２】  よって、本考案は、携帯性に優れ、利便性が良く、且つ安全性の高い携帯用便器を提供することができる。
【考案を実施するための最良の形態】
【００３３】  本考案の実施の形態を添付図面に基づいて以下に説明する。
【実施例】
【００３４】  図１は請求項１、請求項２、請求項３または請求項４に係る携帯用便器の実施形態１の立体構造図である。
図１、図２および図３を用いて携帯用便器１の機能を説明する。
図１において、携帯用便器１は、便座１０、排便口１０−１、便器ベース１１、支持機構１２、右交差支柱１２ａ、右支柱Ａ１２ａ−１、右支柱Ｂ１１ａ−２、交差軸１２ａ−３、右上ガイド１２ａ−４、左上ガイド１２ｂ−４、左交差支柱１２ｂ、左支柱Ａ１２ｂ−１，左支柱Ｂ１２ｂ−２、交差軸１２ｂ−３、左上ガイド１２ｂ−４、保持機構１３、ネジ軸１３−１、ネジ部１３−２、ネジ軸取付部１３−３、１３−連結アーム１３−４、ハンドル１３−５、スプリング１４−１とスプリング１４−２を備えている。【００３５】  略円形状の貫通穴を排便口１０−１とする便座１０の下方に便器ベース１１があり、便座１０と便器ベース１１の間に便座１０を昇降し支持する支持機構１２と、この支持機構１２の便座支持を保持する保持機構１３がある。【００３６】  支持機構１２は、便座１０と便器ベース１１との間に左右対称の位置に設けた右交差支柱１２ａと左交差支柱１２ｂを備える。
右交差支柱１２ａは右支柱Ａ１２ａ−１と右支柱Ｂ１２ａ−２が互いにＸ字状に交差軸１２ａ−３によって回動可能に交差連結したものである。
左交差支柱１２ｂは左支柱Ａ１２ｂ−１と左支柱Ｂ１２ｂ−２が互いにＸ字状に左交差軸１２ｂ−３によって回動可能に交差連結したものである。【００３７】  右支柱Ａ１２ａ−１は一端を便座１０の裏面に回動可能に固定し、他端に右下ローラ１２ａ−６（図３）を設け、便器ベース１１上に備えた右下ガイド１２ａ−５（図３）に沿って走行可能とした。
右支柱Ｂ１２ａ−２は一端を便器ベース１１上に回動可能に固定し、他端を便座１０の裏面に設けた右上カイド１２ａ−４に沿って走行可能とした。【００３８】  左支柱Ａ１２ｂ−１は一端を便座１０の裏面に回動可能に固定し、他端に左下ローラ１２ｂ−６（図３）を設け、便器ベース１１上に備えた左下ガイド１２ｂ−５（図３）に沿って走行可能とした。
左支柱Ｂ１２ｂ−２は一端を便器ベース１１上に回動可能に固定し、他端を便座１０の裏面に設けた左上カイド１２ｂ−４に沿って走行可能とした。
右下ガイド１２ａ−５と左下ガイド１２ｂ−５とが便器ベース１１上に平行に固定されおり、右上ガイド１２ａ−４と左上ガイド左上カイド１２ｂ−４とが便座１０の裏面に平行に固定されている。【００３９】  保持機構１３はネジ軸１３−１とネジ部１３−２とネジ軸取付部１３−３と連結アーム  １３−４とハンドル１３−５を備える。
ネジ軸１３−１は便器ベース１１上に固定されているネジ軸取付部１３−３に回転可能  に固定されている。
それ故、ネジ軸１３−１は回転はするが、便器ベース上で移動することはない。
連結アーム１３−４は、このネジ軸１３−１のネジ部１３−２に移動可能に連結され、右支柱Ａ１２ａ−１の端子部と右下ローラ１２ａ−６とを回転自在に軸支し、且つ左支柱Ａ１２ｂ−１の端子部と左下ローラ１２ｂ−６とを回転自在に軸支して連結する。
ハンドル１３−５はネジ軸１３−１に着脱自在に設けられる。【００４０】  ハンドル１３−５によってネジ軸１３−１を回し、ネジ軸１３−１のネジ部１３−２の回転によって連結アーム１３−４が便器ベース１１上を移動し、右支柱Ａ１２ａ−１の右下ローラ１２ａ−６を便器ベース１１上に備えた右下ガイド１２ａ−５に沿って走行させ、同時に左支柱Ａ１２ｂ−１の左下ローラ１２ｂ−６を便器ベース１１上に備えた左ガイド１２ｂ−５に沿って走行させる。
右支柱Ａ１２ａ−１の右下ローラ１２ａ−６の走行に伴い、交差軸１２ａ−３を介して右支柱Ｂ１２ａ−２の右上ローラ１２ａ−７が便座１０の裏面に設けた右上カイド１２ａ−４に沿って走行する。
また、左支柱Ａ１２ｂ−１の左下ローラ１２ｂ−６の走行に伴い、交差軸１２ｂ−３を介して左支柱Ｂ１２ｂ−２の左上ローラ１２ｂ−７が便座１０の裏面に設けた左上カイド１２ｂ−４に沿って走行する。【００４１】  支持機構１２を便座１０と便器ベース１１間に格納した携帯用便器１の収納状態は、便座１０と便器ベース１１の距離が最小となり、左右の交差支柱（１２ａ、１２ｂ）が略平行となっている。
略平行となっている左右の交差支柱（１２ａ、１２ｂ）を立ち上がらせるときに最も大きな力が必要となる。
収納状態の略平行状態となっている左右の交差支柱（１２ａ、１２ｂ）に揚上力を付勢し立ち上がりを容易にするスプリング（１４−１、１４−２）を便器ベース１１上に備えた。【００４２】  この様に、本考案に係る携帯用便器１は、スプリング（１４−１、１４−２）と支持機構１２に保持機構１３を備えことによって、ハンドル１３−３の右または左回転操作により右交差支柱１２ａおよび左支柱１２ｂからなる支持機構１２を可動しての便座１０を便器ベース１１に対して垂直方向に、しかも水平に昇降して便座の高さを連続可変し、使用者の体形に合わせた任意の高さに便座１０を保持する。【００４３】  携帯用便器１を使用する時は、図４に示す携帯袋１８のチャック（図示せず）を開いて、携帯用便器１を取出して、携帯袋１８内に収納されているハンドル１３−５を図１に示すようにネジ軸１３−１に取付ける。
次に、ハンドル１３−５を一方向（立脚方向）に回してネジ軸を回転させ、支持機構１２を立上げ、便座１０を任意の高さに揚上し、ハンドル１３−５の回転を止めると便座１０は任意の高さに保持される。
便座１０と便器ベース１１間に別々に折り畳まれた内袋１５と外袋１７が図３に示すようにセットされる。【００４４】  次に、図３に示すように排泄物収納袋１６の底部を内袋１５の内部に挿入し、排泄物収納袋１６の開口部を便座１０の排便口１０−１の周辺に沿わせ設置する。
使用後は、排泄物収納袋１６を携帯用便器１から取出して処理する。
次に、ハンドル１３−５を立上げ時の逆方向に回し、便座１０と便器ベースとが最短距離になるまで便座１０を下降させ、内袋１５および外袋１７を便座１０と便器ベース１１の間に別々に折畳み、収納する。
そして、携帯用便器１を図４に示すように携帯袋１８内に収め、チャック（図示せず）を締めて格納する。【００４５】  この様に、本考案に係る携帯用便器１は、携帯用便器１を素早く携帯袋１８から取出し、簡単に使用状態にセットすることができ、また容易に携帯袋１８に格納し、携帯することができる。【００４６】  図５、図６、図７および図８は請求項５、請求項６、請求項７または請求項８に係る携帯用便器の実施形態２の説明図である。
図５〜図８を用いて携帯用便器２の機能を説明する。
携帯用便器２は、便座２０、排便口２０−１、便器ベース２１、支持機構２２、上支柱２２−１、上支柱受２２−２、上支柱受軸２２−３、下支柱２２−４、下支柱受２２−５、下支柱受軸２２−６、連結軸２２−７、保持機構２３、スプリング２３−１、フック機構２４、排泄物収納袋２５と携帯袋２６を備えている。【００４７】  携帯用便器２は円形状の貫通穴を排便口２０−１とする便座２０と、この便座２０の下方に位置する便器ベース２１と、この便器ベース２１と便座２０との間にあって便座２０を支持する支持機構２２とを備えている。
支持機構２２は上支注２２−１、上支柱受２２−２、上支柱受軸２２−３、下支柱２２−４、下支柱受２２−５、下支柱受軸２２−６、連結軸２２−７とを備えている。
上支注２２−１の一端部は便座２０の下部に固定された上支柱受２２−２の上支柱受軸２２−３によって回動可能に軸支され、下支柱２２−４の一端部は便器ベース２１に固定された下支柱受２２−５の下支柱受軸２２−６によって回動可能に軸支されている。
さらに上支柱２２−１および下支柱２２−４の他端部は相互に連結軸２２−７によって回動可能に連結されている。【００４８】  支持機構２２は、連結軸２２−７にスプリング２３−１を設けた保持機構２３を備え、便器ベース２１の内側に折畳み可能とし、折畳み状態から起こし、略１８０度以上まで開き伸ばして便座２０を揚上し、一定の高さに安定して保持することができる。【００４９】  便座の裏面および便器ベース２１にフック機構２４を設けた。
フック機構２４は、便座２０の下部にフック２４−１、フック取付部２４−２、フック受軸３４−３、フックスプリング２４−４と、便器ベース２１上にフック受２４−５と貫通孔２４−６から成る。
フック２４−１はフック取付部２４−２に設けたフック受軸３４−３に回動可能に軸支されている。
便器ベース２１を貫通する様に設けた貫通孔２４−６の上に設けたフック受２４−５にフック２４−１を掛止保持するためにフック受軸３４−３にフックスプリング２４−４を設けた。【００５０】  格納状態から携帯用便器２を使用する時は、図８に示す携帯袋２６のチャック（図示せず）を開いて、携帯用便器２を取出して、フック機構２４を外すと保持機構２３により支持機構が略１８０度以上に開き伸ばされ立脚状態に維持される。
次に、図６に示すように排泄物収納袋２５の底部を携帯用便器２内部に挿入し、排泄物収納袋２５の開口部を便座２０の排便口２０−１の周辺に沿わせ設置する。
使用後は、排泄物収納袋２５を携帯用便器２から取出して処理する。
次に、保持機構２３の部分を内側に折り、便座２０を上から押して支持機構２３を内側に折畳み、便座２０をフック機構２４によって便器ベース２１にロックさせる。
そして、携帯用便器２を図８に示すように携帯袋２６内に収め、チャック（図示せず）を締めて格納する。【００５１】  この様に本考案に係る携帯用便器２は、保持機構２３を有する支持機構２２を３個備え、フック機構２４を３個備えたので、折畳み状態から簡単にフック機構２４を外して立脚し、安定した立脚状態を保持することができる。【００５２】  図９、図１０および図１１は請求項９または請求項１０に係る携帯用便器の実施形態３の説明図である。
図９〜図１１を用いて携帯用便器３の機能を説明する。
携帯用便器３は、便座３０、排便口３０−１、便器ベース３１、支持機構３２と保持機構３３を備える。
支持機構３２は、支柱３２−１、上支柱受３２−２、上軸受３２−３、上支柱軸３２−４、下支柱受３２−５、下軸受３２−６と下支柱軸３２−７を備える。
保持機構３３は、回転盤３３−１，回転盤軸３３−２、第１アーム３３−３、第２アーム３３−４、アーム軸３３−５、ハンドル３３−６、ストッパーＡ３３−７とストッパーＢ３３−８を備える。【００５３】  上支柱受３２−２は一方向に略Ｕ字形状の開口部を有した断面凹形の筒形状をしており、便座３０の裏面縁辺に設けた上軸受３２−３に回転可能に固定されている。
下支柱受３２−５は一方向に略Ｕ字形状の開口部を有した断面凹形の筒形状をしており、便器ベース３１上縁辺に設けた下軸受３２−６に回転可能に固定されている。
支柱３２−１の一端部は上支柱受３２−２に設けた上支柱軸３２−４に回動可能に軸支  され、他端部は下支柱受３２−５に設けた下支柱軸３２−７に回動可能に軸支されてい  る。【００５４】  保持機構３３は便器ベース３１の中心に設けた回転盤軸３３−２に回転可能に軸支され、便器ベース３１上に設けた回転盤３３−１と、回転盤３３−１の縁辺に一端部を回動可能に固定した第１アーム３３−３と、一端部を下支柱受３２−６に固定した第２アーム３３−４と、回転盤３３−１上に取付けられたハンドル３３−６と、便器ベース３３上にハンドル３３−６の可動範囲を限定するストッパーＡ３３−７と、ストッパーＢ３３−８を備える。
第１アーム３３−３と第２アーム３３−４の他端部は相互に回動可能に連結しされている。【００５５】  携帯用便器３が立脚状態にあり、しかも保持機構３３のハンドル３３−６がストッパーＡ３３−７の位置にある場合は、第１アーム３３−３と第２アーム３３−４の成す連結角度が鈍角となり、便座３０を時計方向に回転させて支柱３２−１を横倒し、図１１に示す格納状態にできる。
便座３０を時計方向に回転させることによって上支柱受３２−２が時計方向に回転し、支柱３２−１を介して下支柱受３２−５も時計方向に回転し、支柱３２を横倒して支持機構３２を便座３０と便器ベース３１の間に収納して便座３０と便器ベース３１を最小距離にして重ねた状態で携帯袋（図示せず）に格納する。【００５６】  また図１１に示す携帯用便器３の格納状態から立脚状態にするには、便座３０を反時計方向に回転させることによって上支柱受３２−２が反時計方向に回転し、支柱３２−１を介して下支柱受３２−５も反時計方向に回転し、支持機構３２の支柱３２−１を略垂直に立上げて便座３０を揚上する。
保持機構３３はハンドル３３−６をストッパーＢ３３−６に係止させて第１アーム３３−３と第２アーム３３−４の連結角度を鋭角にして下支柱受３２−５をロックし、時計方向への回転を阻止して立脚状態を安定に保持する。
携帯用便器３は保持機構３３を備えた支持機構３２を便座３０と便器ベース３１の間に３個設けた。【００５７】  格納状態から携帯用便器３を使用する時は、携帯袋（図示せず）のチャック（図示せず）を開いて、携帯用便器３を取出して、便座３０を反時計方向に回転させて３本の支柱を略垂直に立ち上げて立脚状態にし、保持機構３２のハンドル３３−６をストッパーＢ３３−８に掛止して立脚状態を安定に維持する。
次に、排泄物収納袋（図示せず）の底部を携帯用便器３内部に挿入し、排泄物収納袋の開口部を便座３０の排便口３０−１の周辺に沿わせ設置する。
使用後は、排泄物収納袋を携帯用便器３から取出して処理する。
次に、保持機構３２のハンドル３３−６をストッパーＡ３３−７に掛止し，便座３０を時計方向に回転させて３本の支柱を横倒して支持機構３２および保持機構３３を内側に収納し、そして、携帯用便器３を携帯袋内に収め、チャックを締めて格納する。【００５８】  この様に本考案に係る携帯用便器３は、保持機構３３を有する支持機構３２を３個備え、簡単に立脚し、安定した立脚状態を保持することができる。【００５９】  図１２は請求項１１に係る携帯用便器の実施形態３の説明図である。
図１２を用いて携帯用便器４の機能を説明する。
携帯用便器４は、
便座３０、排便口３０−１、便器ベース３１、支持機構３２、保持機構４２とスイッチボックス４３を備える。
支持機構３２は、支柱３２−１、上支柱受３２−２、上軸受３２−３、上支柱軸３２−４、下支柱受３２−５、下軸受３２−６と下支柱軸３２−７を備える。
保持機構４２は、回転盤４２−１，回転盤軸４２−２、第１アーム４２−３、アーム軸４２−４、第２アーム４２−５、感知穴４２−６、センサーＡ４２−７、センサーＢ４２−８、モーター４２−９とモーターギア４２−１０を備える。【００６０】  携帯用便器４は携帯用便器３（図９参照）の基本的構造と同一であるが、保持機構の一部を電動式にした。
携帯用便器３の保持機構３３のハンドル３３−６による回転盤３３−１の駆動を、携帯用便器４ではモーター４２−９とモーター４２−９に設けたモーターギア４２−１０によって回転盤４２−１を回転駆動する。【００６１】  また、携帯用便器３のストッパーＡ３３−７とストッパーＢ３３−８でハンドル３３−６の可動範囲を限定していたが、携帯用便器４では第２アーム４２−５に設けた感知穴４２−６、便器ベース３１上に設けたセンサーＡ４２−７とセンサーＢ４２−８で第２アーム４２−５の位置を検出し、この検出信号に基づいてモーター４２−９を制御する。
例えば、センサーＡ４２−７およびセンサーＢ４２−８に赤外線スイッチを用いても良い。【００６２】  使用する時は、携帯用便器４を携帯袋（図４参照）のチャック（図示せず）を開けて取り出す。
次に、格納状態から便座３０を反時計方向に回転させて支柱３２−１を完全直立させると、保持機構４２の第２アーム４２−５の感知穴４２−６がセンサーＡ４２−７の真上あり、センサーＡ４２−７が第２アーム４２−５の位置を検知してモーター４２−９を起動し、モーターギア４２−１０を介して回転盤４２−１を時計方向に回転させる。
回転盤４２−１の時計方向への回転に伴ない、第１アーム４２−３が移動して第２アーム４２−５を反時計方向に回動させ、感知穴４２−６がセンサーＢ４２−８の位置まで来るとセンサーＢ４２−８が検知してモーター４２−９を停止する。
第１アーム４２−３と第２アーム４２−５の連結角度をより小さくして鋭角とし、下支柱受３２−５の時計方向への回転を阻止して携帯用便器４の立脚状態を安定に保持する。【００６３】  次に、排泄物収納袋（図示せず）の底部を携帯用便器４内部に挿入し、排泄物収納袋の開口部を便座３０の排便口３０−１の周辺に沿わせ設置する。
使用後は、排泄物収納袋を携帯用便器３から取出して処理する。【００６４】  立脚状態にある携帯用便器４を格納状態にするには、スイッチボックス４３のプッシュスイッチ（図示せず）を押してモーター４２−９を起動し、モーターギア４２−１０によって回転盤４２−１反時計方向に回転させ、第１アーム４２−３の回転盤４２−１上での支点を変位させて第２アーム４２−５を時計方向に回動させ、感知穴４２−６がセンサーＡ４２−７の真上に来るとセンサーＡ４２−７が感知してモーター４２−９を停止する。
この時は、第１アーム４２−３と第２アーム４２−５の連結角度を広げて鈍角状態となり、下支柱受３２−５は時計方向に回転可能状態となっている。
次に、便座３０を時計方向に回転させるよって上支柱受３２−２が時計方向に回転し、支柱３２−１を介して下支柱受３２−５も時計方向に回転し、支柱３２−１を横倒して支持機構３２を便座３０と便器ベース３１の間に収納して便座３０と便器ベース３１を最小距離にして重ねた状態で携帯袋（図示せず）に格納する。【００６５】  この様に本考案に係る携帯用便器４は、保持機構４２を有する支持機構３２を便座３０と便器ベース３１の間に３個備え、使用時には携帯袋から取り出し、簡単に素早く立脚し、安定した立脚状態を保持し、また簡単に折畳んで携帯袋に格納することことができる。【００６６】  図１３、図１４は請求項１２または請求項１３に係る携帯用便器の実施形態５の説明図である。
図１３と図１４を用いて携帯用便器５の機能を説明する。
携帯用便器５は、便座５０、排便口５０−１、支持機構５１と保持機構５２を備える。
支持機構５１は、右支柱Ａ５１−１、右支柱受Ａ５１−２、右支柱受軸Ａ５１−３、右支柱Ｂ５１−４、右支柱受Ｂ５１−５、右支柱受軸Ｂ５１−６、右支柱連結部５１−７を備える。
保持機構５２は、右バックル５２−１、右アーム５２−２、右アーム軸５２−３、右バックル留軸５２−４、右牽引スプリング５２−５、右牽引スプリング掛止ピン５２−６、右バックルストッパーピン５２−７を備える。【００６７】  携帯用便器５は略四角形状の貫通穴を排便口５０−１とする便座５０と、この便座５０の下方に便座５０を支持する支持機構５１と、支持機構５１の折り畳み状態および立脚状態を保持する保持機構５２を備えている。
支持機構５１の右支柱Ａ５１−１の一端部は便座５０の裏面に設けた右支柱受Ａ５１−２に右支柱受軸Ａ５１−３によって回動可能に固定されており、右支柱Ｂ５１−４の一端部は便座５０の裏面に設けた右支柱受Ｂ５１−５に右支柱受軸Ｂ５１−６によって回動可能に固定されている。
また、右支柱Ａ５１−１と右支柱Ｂ５１−４は右支柱連結部５１−７で連結され一対に構成さているので、同一の動きをする。
携帯用便器５を使用する時には図１３に示すように右支柱Ａ５１−１と右支柱Ｂ５１−４を伸ばして立脚し、格納する時には図１４に示すように便座５０の裏面内に便座５０の裏面と略平行になるまで横倒する。【００６８】  保持機構５２の右アーム５２−２の一端を右支柱Ａ５１−１に右アーム軸５２−３によって回動可能に固定し、この右アーム５２−２の他端部に右バックル留軸５２−４によって右アーム５２−２と直角に右バックル５２−１の中央部を取付ける。
また、右支柱受Ａ５１−２の便座５０の裏面側に近い位置に右牽引スプリング掛止ピン５２−６を設け、右牽引スプリング５２−５の一端を右牽引スプリング掛止ピン５２−６に掛止し、右牽引スプリング５２−５の他端を右アーム軸５２−３に掛止する。
また、右支柱受Ａ５１−２に右バックルストッパーピン５２−７を設け、右バックル５２−１を係止する。【００６９】  携帯用便器５は、右バックル５２−１、右アーム５２−２、右アーム軸５２−３、右バックル留軸５２−４、右牽引スプリング５２−５、右牽引スプリング掛止ピン５２−６、右バックルストッパーピン５２−７からなる保持機構５２を備え、右支柱Ａ５１−１、右支柱受Ａ５１−２、右支柱受軸Ａ５１−３、右支柱Ｂ５１−４、右支柱受Ｂ５１−５、右支柱受軸Ｂ５１−６、右支柱連結部５１−７からなる支持機構５１を図１３に示すように便座５０の左裏面の対称位置に、しかも図１４に示すように重ならず折畳むことができる様に設ける。【００７０】  図１３に示す携帯用便器５の立脚状態では、右支柱Ａ５１−１が右バックル５２−１と右牽引スプリング５２−５の作用によって便座５０の裏面の外側に引かれ、安定した立脚状態を保持する。
また、便座５０の左裏面の左支柱Ａも同様に左バックル５２−８と左牽引スプリング５２−１０の作用によって便座５０の裏面の外側に引かれ、安定した立脚状態を保持する。図１４に示す携帯用便器５の折畳み状態では、右支柱Ａ５１−１が右バックル５２−１と右牽引スプリング５２−５の作用によって便座５０の裏面側に引かれ、折畳み状態を保持する。
また、便座５０の左裏面の左支柱Ａも同様に左バックル５２−８と左牽引スプリング５２−１０の作用によって便座５０の裏面側に引かれ、折畳み状態を保持する。【００７１】  使用する時は、携帯用便器５を携帯袋（図示せず、図４参照）のチャック（図示せず）を開けて取り出す。
次に、格納状態から折畳まれた支柱を保持機構によって立脚状態が保持されるまで開き伸ばす。
次に、排泄物収納袋（図示せず）の底部を携帯用便器５内部に挿入し、排泄物収納袋の開口部を便座５０の排便口５０−１の周辺に沿わせ設置する。
使用後は、排泄物収納袋を携帯用便器５から取出して処理する。
支柱を保持機構によって折畳み状態が保持されるまで横倒して
携帯袋（図示せず）に格納する。
【図面の簡単な説明】
【００７２】
【図１】  請求項１、請求項２、請求項３または請求項４に係る携帯用便器の実施形態１の立体構造図
【図２】  図１に示す携帯用便器の立脚状態における実施形態１の側面図
【図３】  請求項１、請求項２、請求項３または請求項４に係る携帯用便器の使用状態における実施形態１の断面図
【図４】  請求項１、請求項２、請求項３または請求項４に係る携帯用便器の格納状態における実施形態１の側面図
【図５】  請求項５、請求項６、請求項７または請求項８に係る携帯用便器の実施形態２の立体構造図
【図６】  図５に示す携帯用便器の実施形態２の断面図
【図７】  請求項５、請求項６、請求項７または請求項８に係る携帯用便器の格納状態における実施形態２の断面図
【図８】  請求項７または請求項８に係る携帯用便器のフック機構の概略構成図
【図９】  請求項９または請求項１０に係る携帯用便器の実施形態３の立体構造図
【図１０】  請求項９または請求項１０に係る携帯用便器の格納状態における実施形態３の立体構造図
【図１１】  請求項９または請求項１０に係る携帯用便器の実施形態３の立体断面図
【図１２】  請求項１１に係る携帯用便器の実施形態４の立体構造図
【図１３】  請求項１２または請求項１３に係る携帯用便器の実施形態５の立体構造図
【図１４】  請求項１３に係る携帯用便器の格納状態のおける実施形態５の立体構造図
【符号の説明】
【００７３】  １，２，３，４，５．．．携帯用便器、１０．．．便座、１０−１．．．排便口、１１．．．便器ベース、１２．．．支持機構、１２ａ．．．右交差支柱、１２ａ−１．．．右支柱Ａ、１１ａ−２．．．右支柱Ｂ、１２ａ−３．．．交差軸、１２ａ−４．．．右上ガイド、１２ｂ−４．．．左上ガイド、１２ｂ．．．左交差支柱、１２ｂ−１．．．左支柱Ａ，１２ｂ−２．．．左支柱Ｂ、１２ｂ−３．．．交差軸、１２ｂ−４．．．左上ガイド、１３．．．保持機構、１３−１．．．ネジ軸、１３−２．．．ネジ部、１３−３．．．ネジ軸取付部、１３−４．．．連結アーム、１３−５．．．ハンドル、１４−１．．．スプリング、１４−２．．．スプリング、２０．．．便座、２０−１．．．排便口、２１．．．便器ベース、２２．．．支持機構、２２−１．．．上支柱、２２−２．．．上支柱受、２２−３．．．上支柱受軸、２２−４．．．下支柱、２２−５．．．下支柱受、２２−６．．．下支柱受軸、２２−７．．．連結軸、２３．．．保持機構、２３−１．．．スプリング、２４．．．フック機構、２５．．．排泄物収納袋、２６．．．携帯袋、３０．．．便座、３０−１．．．排便口、３１．．．便器ベース、３２．．．支持機構、３２−１．．．支柱、３２−２．．．上支柱受、３２−３．．．上軸受、３２−４．．．上支柱軸、３２−５．．．下支柱受、３２−６．．．下軸受、３２−７．．．下支柱軸、３３．．．保持機構、３３−１．．．回転盤，３３−２．．．回転盤軸、３３−３．．．第１アーム、３３−４．．．第２アーム、３３−５．．．アーム軸、３３−６．．．ハンドル、３３−７．．．ストッパーＡ、３３−８．．．ストッパーＢ、４２．．．保持機構、４２−１．．．回転盤、４２−２．．．回転盤軸、４２−３．．．第１アーム、４２−４．．．アーム軸、４２−５．．．第２アーム、４２−６．．．感知穴、４２−７．．．センサーＡ、４２−８．．．センサーＢ、４２−９．．．モーター、４２−１０．．．モーターギア、４３．．．スイッチボックス、５０．．．便座、５０−１．．．排便口、５１．．．支持機構、５１−１．．．右支柱Ａ、５１−２．．．右支柱受Ａ、５１−３．．．右支柱受軸Ａ、５１−４．．．右支柱Ｂ、５１−５．．．右支柱受Ｂ、５１−６．．．右支柱受軸Ｂ、５１−７．．．右支柱連結部、５２．．．保持機構、５２−１．．．右バックル、５２−２．．．右アーム、５２−３．．．右アーム軸、５２−４．．．右バックル留軸、５２−５．．．右牽引スプリング、５２−６．．．右牽引スプリング掛止ピン、５２−７．．．右バックルストッパーピン。